【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
・表面を有する壁であって、該壁は、任意選択的に、ポリオレフィン（任意選択的に、ポリプロピレン、環式オレフィン重合体、環式オレフィン共重合体）、ポリエステル（任意選択的に、ポリエチレンテレフタレート）、ポリカーボネート、ポリ乳酸、ガラス（任意選択的に、ホウケイ酸ガラス）又はこれらの複合体若しくは共重合体を含む、壁と、
・ＳｉＯxのバリア皮膜又は層であって、ｘが１．５乃至２．９、厚さが２乃至１０００ｎｍであり、ＳｉＯxの前記バリア皮膜又は層が、内腔に面した内部表面と前記壁内部表面に面した外部表面とを有し、前記バリア皮膜又は層が、非被覆壁と比較すると、前記壁を通じた大気ガスの進入を低減するのに効果的である、ＳｉＯxのバリア皮膜又は層と、
・ＳｉＯxＣy又はＳｉＮxＣyの不活性化層又はｐＨ保護皮膜であって、ｘが約０．５乃至約２．４及びｙが約０．６乃至約３であり、前記バリア皮膜又は層上に、前記不活性化層又はｐＨ保護皮膜が、直鎖シロキサン、単環シロキサン、多環シロキサン、ポリシルセスキオキサン、直鎖シラザン、単環シラザン、多環シラザン、ポリシルセスキアザン、シラトラン、シルクアシラトラン、シルプロアトラン、アザシラトラン、アザシルクアシアトラン、アザシルプロアトラン、又はこれら前駆体のいずれか２つ以上の複合体から選択される前駆体の化学気相成長によって形成され、任意選択的に前記前駆体フィードは更に酸化性ガス（例えば酸素）を含み、任意選択的に前記前駆体フィードは更に希ガス（例えばアルゴン）を含み、ここで、適用される前記不活性化層又は前記ｐＨ保護皮膜は厚さが１０〜１０００ｎｍであり、あるいは５０〜８００ｎｍであり、あるいは１００〜７００ｎｍであり、あるいは３００〜６００ｎｍである、ＳｉＯxＣy又はＳｉＮxＣyの不活性化層又はｐＨ保護皮膜と、
を含み、
５乃至９、あるいは５乃至６、あるいは６乃至７、あるいは７乃至８、あるいは８乃至９、あるいは６．５乃至７．５、あるいは７．５乃至８．５、あるいは８．５乃至９のいずれかのｐＨを有する流体組成物が直接接触する場合の前記不活性化層又はｐＨ保護皮膜の浸食速度が、前記流体組成物が直接接触する場合の前記バリア皮膜又は層の前記浸食速度未満である、
物品であって、
該物品は任意選択的にシリンジバレル、カートリッジ、バイアル、又はブリスタパッケージである、
該物品。
【請求項２】
８のｐＨを有する流体組成物に直接接触する場合の前記不活性化層又はｐＨ保護皮膜の前記浸食速度が、前記同じ流体組成物に前記同じ条件下で直接接触する場合の前記バリア皮膜又は層の前記浸食速度の２０％未満、あるいは１５％未満、あるいは１０％未満、あるいは７％未満、あるいは５％乃至２０％、あるいは５％乃至１５％、あるいは５％乃至１０％、あるいは５％乃至７％である、請求項１に記載の発明。
【請求項３】
前記流体組成物が、前記流体組成物との４４時間の接触毎、あるいは８８時間の接触毎、あるいは３５０時間の接触毎に、不活性化層又はｐＨ保護皮膜厚さの１ｎｍ以下の割合で前記不活性化層又はｐＨ保護皮膜を除去する、請求項１又は２に記載の発明。
【請求項４】
・約１０００乃至１０４０ｃｍ-1におけるＳｉ−Ｏ−Ｓｉ対称伸縮ピークの最大振幅と、
・約１０６０乃至約１１００ｃｍ-1におけるＳｉ−Ｏ−Ｓｉ非対称伸縮ピークの最大振幅と、
の間における、前記不活性化層又はｐＨ保護皮膜のＦＴＩＲ吸光度スペクトルが、０．７５超、あるいは少なくとも０．８、あるいは少なくとも０．９、あるいは少なくとも１、あるいは少なくとも１．１、あるいは少なくとも１．２の比率を有し、任意選択的に、前記比率は最大で１．７、或いは最大で１．６、或いは最大で１．５、或いは最大で１．４、或いは最大で１．３である、請求項１乃至３のいずれか一項に記載の発明。
【請求項５】
注射用水で希釈し、濃縮硝酸でｐＨ８に調整し、０．２ｗｔ．％ポリソルベート８０界面活性剤を含有する５０ｍＭリン酸カリウム緩衝液による、容器からのケイ素溶解速度が、１７０ｐｐｂ／日未満、あるいは１６０ｐｐｂ／日未満、あるいは１４０ｐｐｂ／日未満、あるいは１２０ｐｐｂ／日未満、あるいは１００ｐｐｂ／日未満、あるいは９０ｐｐｂ／日未満、あるいは８０ｐｐｂ／日未満である、請求項１乃至４のいずれか一項に記載の発明。
【請求項６】
容器から、４０℃の０．１Ｎ水酸化カリウム水溶液に溶解する場合の、前記不活性化層又はｐＨ保護皮膜及びバリア皮膜又は層の総ケイ素含有量が、６６ｐｐｍ未満、あるいは６０ｐｐｍ未満、あるいは５０ｐｐｍよりも、あるいは４０ｐｐｍ未満、あるいは３０ｐｐｍ未満、あるいは２０ｐｐｍ未満である、請求項１又は５に記載の発明。
【請求項７】
前記不動態化皮膜又はｐＨ防護層が、減衰全反射（ＡＴＲ）によって測定され、
【数１】
2014533177.tif 000001
のように測定された、０．４未満、あるいは０．１乃至０．３９、あるいは０．１５乃至０．３７、あるいは０．１７乃至０．３５のＯパラメータを示す、請求項１乃至６のいずれか一項に記載の発明。
【請求項８】
前記不動態化皮膜又はｐＨ防護層が、減衰全反射（ＡＴＲ）によって測定され、
【数２】
2014533177.tif 000002
のように測定された、０．７未満、あるいは０．４乃至０．６、あるいは少なくとも０．３のＮパラメータを示す、請求項１乃至７のいずれか一項に記載の発明。
【請求項９】
・基板と、
・前記基板上のバリア皮膜又は層と、
・前記バリア皮膜又は層上の不活性化層又はｐＨ保護皮膜であって、前記不活性化層又はｐＨ保護皮膜が、
○約１０００乃至１０４０ｃｍ-1におけるＦＴＩＲスペクトルのＳｉ−Ｏ−Ｓｉ対称伸縮ピークの最大振幅と、
○約１０６０乃至約１１００ｃｍ-1におけるＦＴＩＲスペクトルのＳｉ−Ｏ−Ｓｉ非対称伸縮ピークの最大振幅との間において、
０．７５を超えるＦＴＩＲ吸光度比を示す、前記バリア皮膜又は層上の不活性化層又はｐＨ保護皮膜と、
を含む、複合材料。
【請求項１０】
約１０００乃至１０４０ｃｍ-1におけるＦＴＩＲスペクトルの前記Ｓｉ−Ｏ−Ｓｉ対称伸縮ピークの前記最大振幅が０．５乃至１．５であり、あるいは０．７乃至１．３であり、あるいは０．８乃至１．２であり、あるいは０．９乃至１．２であり、あるいは０．９２乃至１．０７であり、約１０６０乃至約１１００ｃｍ-1における前記ＦＴＩＲスペクトルの前記Ｓｉ−Ｏ−Ｓｉ非対称伸縮ピークの前記最大振幅が０．９乃至２であり、あるいは０．９乃至１．５であり、あるいは０．９乃至１．４であり、任意選択的に１．１６乃至１．３３である、請求項９に記載の発明。
【請求項１１】
原子間力顕微鏡法によって測定された前記不活性化層又はｐＨ保護皮膜のＲＭＳ表面粗さ値が、約２乃至約９、任意選択的に、約６乃至約８、任意選択的に、約６．４乃至約７．８である、請求項１乃至１０のいずれか一項に記載の発明。
【請求項１２】
前記流体組成物が吸入麻酔薬、薬物又は診断検査材料を含む、請求項１乃至１１のいずれか一項に記載の発明。
【手続補正２】
【補正対象書類名】明細書
【補正対象項目名】０４３２
【補正方法】変更
【補正の内容】
【０４３２】
本発明を図面及び前述の記載において詳細に示し且つ説明したが、そのような説明及び記載は例証的又は例示的であり、限定的でないとみなされる。本発明は開示した実施形態に限定されるものではない。図面、開示及び添付の特許請求の範囲の研究により、当業者及び請求される発明を実施する者であれば、開示した実施形態の他の変形形態を理解し、且つ実施することができる。特許請求の範囲においては、「含む（ｃｏｍｐｒｉｓｉｎｇ）」という語は他の要素又はステップを排除するものではなく、不定冠詞「ａ」又は「ａｎ」は複数形を排除するものではない。特定の方策が互いに異なる従属請求項に述べられているという単なる事実は、これら方策の組み合わせを有利には使用できないことを示すものではない。特許請求の範囲におけるいかなる参照符号も範囲を限定するものと解釈されるべきではない。
本発明は一側面において以下の発明を包含する。
（発明１）
・少なくとも部分的に壁によって画定された内腔を有する容器であって、前記壁が、前記内腔に面した内部表面と外部表面とを有する、容器と、
・ＳｉＯxのバリア皮膜又は層であって、ｘが１．５乃至２．９、厚さが２乃至１０００ｎｍであり、ＳｉＯxの前記バリア皮膜又は層が前記内腔に面した内部表面と前記壁内部表面に面した外部表面とを有し、前記バリア皮膜又は層が、バリア皮膜も層もない容器と比較すると、前記内腔への大気ガスの進入を低減するのに効果的である、ＳｉＯxのバリア皮膜又は層と、
・ＳｉＯxＣy又はＳｉＮxＣyの不活性化層又はｐＨ保護皮膜であって、ｘが約０．５乃至約２．４及びｙが約０．６乃至約３であり、前記不活性化層又はｐＨ保護皮膜が、前記内腔に面した内部表面と前記バリア皮膜又は層の前記内部表面に面した外部表面とを有し、前記不活性化層又はｐＨ保護皮膜が前記パッケージの計算保管寿命（総Ｓｉ／Ｓｉ溶解速度）を増加するのに効果的である、ＳｉＯxＣy又はＳｉＮxＣyの不活性化層又はｐＨ保護皮膜と、
・前記内腔に収容されており、４乃至１０、任意選択的に、５乃至９のｐＨを有する流体組成物と、を含み、
４℃の保管温度における前記パッケージの前記計算保管寿命が６か月超である、
充填済みパッケージ。
（発明２）
・少なくとも部分的に壁によって画定された内腔を有する容器であって、前記壁が、ガラスを含む、前記内腔に面した内部表面と、外部表面とを有する、容器と、
・ＳｉＯxＣy又はＳｉＮxＣyの不活性化層又はｐＨ保護皮膜であって、ｘが約０．５乃至約２．４及びｙが約０．６乃至約３であり、前記不活性化層又はｐＨ保護皮膜が、前記内腔に面した内部表面と、ガラスを含む前記内部表面に面した外部表面とを有し、前記不活性化層又はｐＨ保護皮膜が、ガラスを含む前記内部表面のＳｉ溶解速度を低下させるのに効果的である、ＳｉＯxＣy又はＳｉＮxＣyの不活性化層又はｐＨ保護皮膜と、
・前記内腔に収容されており、４乃至１０、任意選択的に、５乃至９のｐＨを有する流体組成物と、
を含む、充填済みパッケージ。
（発明３）
・表面を有する壁と、
・ＳｉＯxのバリア皮膜又は層であって、ｘが１．５乃至２．９、厚さが２乃至１０００ｎｍであり、ＳｉＯxの前記バリア皮膜又は層が、前記内腔に面した内部表面と前記壁内部表面に面した外部表面とを有し、前記バリア皮膜又は層が、非被覆壁と比較すると、前記壁を通じた大気ガスの進入を低減するのに効果的である、ＳｉＯxのバリア皮膜又は層と、
・ＳｉＯxＣy又はＳｉＮxＣyの不活性化層又はｐＨ保護皮膜であって、ｘが約０．５乃至約２．４及びｙが約０．６乃至約３であり、前記バリア皮膜又は層上に、前記不活性化層又はｐＨ保護皮膜が、直鎖シロキサン、単環シロキサン、多環シロキサン、ポリシルセスキオキサン、直鎖シラザン、単環シラザン、多環シラザン、ポリシルセスキアザン、シラトラン、シルクアシラトラン、シルプロアトラン、アザシラトラン、アザシルクアシアトラン、アザシルプロアトラン、又はこれら前駆体のいずれか２つ以上の複合体から選択される前駆体の化学気相成長によって形成される、ＳｉＯxＣy又はＳｉＮxＣyの不活性化層又はｐＨ保護皮膜と、
を含み、
５乃至９のいずれかのｐＨを有する流体組成物が直接接触する場合の前記不活性化層又はｐＨ保護皮膜の浸食速度が、前記流体組成物が直接接触する場合の前記バリア皮膜又は層の前記浸食速度未満である、
物品。
（発明４）
・内腔を囲む内部表面を有する熱可塑性プラスチック壁と、
・  前記内腔内に配置された、５を超えるｐＨを有する、前記内腔に収容された流体と、
・ＳｉＯxのバリア皮膜又は層であって、ｘが１．５乃至２．９であり、前記バリア皮膜又は層がＰＥＣＶＤによって塗布され、前記熱可塑性プラスチック壁の前記内部表面と前記流体との間に配置され、前記熱可塑性プラスチック壁によって支持され、前記バリア皮膜又は層が、前記流体による攻撃の結果、６か月未満でバリア改善度が測定可能な程度低下するという特徴を有する、ＳｉＯxのバリア皮膜又は層と、
・ＳｉＯxＣyの不活性化層又はｐＨ保護皮膜であって、ｘが０．５乃至２．４及びｙが０．６乃至３であり、前記不活性化層又はｐＨ保護皮膜がＰＥＣＶＤによって塗布され、前記バリア皮膜又は層と前記流体との間に配置され、前記熱可塑性プラスチック壁によって支持され、前記不活性化層又はｐＨ保護皮膜が、前記流体による攻撃の結果、少なくとも６か月の期間の間前記バリア皮膜又は層を少なくとも実質的に溶解しないまま維持するのに効果的である、
容器。
（発明５）
前記容器の前記壁の少なくとも一部が、ポリオレフィン、任意選択的に、ポリプロピレン、環式オレフィン重合体、環式オレフィン共重合体、ポリエステル、任意選択的に、ポリエチレンテレフタレート、ポリカーボネート、ポリ乳酸、ガラス、任意選択的に、ホウケイ酸ガラス、又はこれらの複合体又は共重合体を含む、又は実質的にこれらからなる、発明１乃至４のいずれか一項に記載の発明。
（発明６）
前記容器が、シリンジバレル、カートリッジ、バイアル又はブリスタパッケージを含む、発明１乃至５のいずれか一項に記載の発明。
（発明７）
前記流体組成物が、４乃至１０、あるいは５乃至９、あるいは５乃至６、あるいは６乃至７、あるいは７乃至８、あるいは８乃至９、あるいは６．５乃至７．５、あるいは７．５乃至８．５、あるいは８．５乃至９のｐＨを有する、発明１、２又は４乃至６のいずれか一項に記載の発明。
（発明８）
前記流体組成物が、２０℃及び７６０ｍｍＨｇ．大気圧の液体である、発明１、２又は４乃至７のいずれか一項に記載の発明。
（発明９）
前記バリア皮膜又は層が、４ｎｍ乃至５００ｎｍの厚さ、あるいは７ｎｍ乃至４００ｎｍの厚さ、あるいは１０ｎｍ乃至３００ｎｍの厚さ、あるいは２０ｎｍ乃至２００ｎｍの厚さ、あるいは３０ｎｍ乃至１００ｎｍの厚さである、発明１又は３乃至８のいずれか一項に記載の発明。
（発明１０）
前記不活性化層又はｐＨ保護皮膜がＳｉＯxＣyを含む、発明１乃至９のいずれか一項に記載の発明。
（発明１１）
前記不活性化層又はｐＨ保護皮膜がＳｉＮxＣyを含む、発明１乃至１０のいずれか一項に記載の発明。
（発明１２）
前記不活性化層又はｐＨ保護皮膜が、直鎖シロキサン、例えば、ヘキサメチルジシロキサン、直鎖シラザン、例えば、ヘキサメチルジシラザン、単環シロキサン、例えば、オクタメチルシクロテトラシロキサン（ＯＭＣＴＳ）、多環シロキサン、ポリシルセスキオキサン、単環シラザンシラザン、多環シラザン、ポリシルセスキアザン、シラトラン、シルクアシラトラン、シルプロアトラン、アザシラトラン、アザシルクアシアトラン、アザシルプロアトラン、又はこれら前駆体のいずれか２つ以上の複合体を含む前駆体供給物のＰＥＣＶＤによって塗布される、発明１乃至１１のいずれか一項に記載の発明。
（発明１３）
前記不活性化層又はｐＨ保護皮膜が、オクタメチルシクロテトラシロキサン（ＯＭＣＴＳ）を含む前駆体供給物のＰＥＣＶＤによって塗布される、発明１乃至１２のいずれか一項に記載の発明。
（発明１４）
前記前駆体供給物が、酸化性ガス、例えば、酸素を更に含む、発明１３に記載の発明。
（発明１５）
前記前駆体供給物が、希ガス、例えば、アルゴンを更に含む、発明１２乃至１４のいずれか一項に記載の発明。
（発明１６）
前記前駆体供給物が、
・０．５乃至１０標準体積の前記有機ケイ素化合物前駆体、例えば、オクタメチレンシクロテトラシロキサン（ＯＭＣＴＳ）と、
・０．１乃至１０標準体積の酸化性ガス、例えば、酸素と、
・１乃至１００ｓｃｃｍのキャリアガス、例えば、アルゴンと、
を含む、発明１２乃至１５のいずれか一項に記載の発明。
（発明１７）
塗布された際の前記不活性化層又はｐＨ保護皮膜が、１０乃至１０００ｎｍの厚さ、あるいは５０乃至８００ｎｍの厚さ、あるいは１００乃至７００ｎｍの厚さ、あるいは３００乃至６００ｎｍの厚さである、発明１乃至１６のいずれか一項に記載の発明。
（発明１８）
前記流体組成物に接触する前記不活性化層又はｐＨ保護皮膜が、前記発明の組立の２年後、１０乃至１０００ｎｍの厚さ、あるいは２０乃至７００ｎｍの厚さ、あるいは５０乃至５００ｎｍの厚さ、あるいは１００乃至４００ｎｍの厚さ、あるいは１５０乃至３００ｎｍの厚さである、発明１、２又は４乃至１７のいずれか一項に記載の発明。
（発明１９）
８のｐＨを有する流体組成物に直接接触する場合の前記不活性化層又はｐＨ保護皮膜の前記浸食速度が、前記同じ流体組成物に前記同じ条件下で直接接触する場合の前記バリア皮膜又は層の前記浸食速度の２０％未満、あるいは１５％未満、あるいは１０％未満、あるいは７％未満、あるいは５％乃至２０％、あるいは５％乃至１５％、あるいは５％乃至１０％、あるいは５％乃至７％である、発明１又は３乃至１８のいずれか一項に記載の発明。
（発明２０）
前記不活性化層又はｐＨ保護皮膜が前記バリア皮膜又は層と少なくとも同一領域を占める、発明１又は３乃至１９のいずれか一項に記載の発明。
（発明２１）
前記発明の組立後、少なくとも１年、あるいは少なくとも２年、あるいは少なくとも３年、あるいは少なくとも４年、あるいは少なくとも５年、あるいは少なくとも６年、あるいは少なくとも７年、あるいは少なくとも８年、あるいは少なくとも９年の最低保管寿命を有する、発明１、２又は４乃至２０のいずれか一項に記載の発明。
（発明２２）
１０年以下の保管寿命を有する、発明２１に記載の発明。
（発明２３）
前記保管寿命が３℃、あるいは４℃、あるいは２０℃、あるいは２３℃、あるいは４０℃において決定される、発明２１又は２２に記載の発明。
（発明２４）
前記保管寿命の終了時、前記流体組成物のｐＨが５乃至６、あるいは６乃至７、あるいは７乃至８、あるいは８乃至９、前記不活性化層又はｐＨ保護皮膜の厚さが少なくとも８０ｎｍ、あるいは少なくとも１５０ｎｍである、発明２１乃至２３のいずれか一項に記載の発明。
（発明２５）
前記流体組成物が、前記流体組成物との４４時間の接触毎、あるいは８８時間の接触毎、あるいは３５０時間の接触毎に、不活性化層又はｐＨ保護皮膜厚さの１ｎｍ以下の割合で前記不活性化層又はｐＨ保護皮膜を除去する、発明１乃至２４のいずれか一項に記載の発明。
（発明２６）
前記不活性化層又はｐＨ保護皮膜が、前記非被覆内部表面よりも低い摩擦抵抗を提供するのに効果的である、発明１乃至２５のいずれか一項に記載の発明。
（発明２７）
前記摩擦抵抗が、前記非被覆内部表面と比較して、少なくとも２５％、あるいは最低４５％、あるいは少なくとも６０％減少する、発明２６に記載の発明。
（発明２８）
前記不活性化層又はｐＨ保護皮膜が、前記発明の組立後、あるいは前記発明の組立の少なくとも２年後、前記流体組成物と接触する前記壁の部分と、相対的に摺動する部分との間における前記摩擦抵抗を低減するのに効果的である、発明１乃至２７のいずれか一項に記載の発明。
（発明２９）
シリンジである、発明２８に記載の発明。
（発明３０）
前記シリンジが、シリンジバレルと、プランジャチップ、ピストン、ストッパ又はシールと、を含み、前記壁が前記シリンジバレルの少なくとも一部を画定する、発明２９に記載の発明。
（発明３１）
前記相対的に摺動する部分が、前記プランジャチップ、ピストン、ストッパ又はシールを含む、発明３０に記載の発明。
（発明３２）
・前記不活性化層又はｐＨ保護皮膜と前記内腔との間に塗布された滑性皮膜と、
・任意選択的に、前記不活性化層又はｐＨ保護皮膜の前記内部表面の近傍に塗布された更なる皮膜であって、前記更なる皮膜が、前記熱可塑性プラスチック壁の前記内部表面に面した外部表面と、前記内腔に面した内部表面とを有する、更なる皮膜と、
・前記不活性化層又はｐＨ保護皮膜と接触している流体と、
を更に含む、発明１乃至３１のいずれか一項に記載の発明。
（発明３３）
・約１０００乃至１０４０ｃｍ−１におけるＳｉ−Ｏ−Ｓｉ対称伸縮ピークの最大振幅と、
・約１０６０乃至約１１００ｃｍ-1におけるＳｉ−Ｏ−Ｓｉ非対称伸縮ピークの最大振幅と、
の間における、前記不活性化層又はｐＨ保護皮膜のＦＴＩＲ吸光度スペクトルが、０．７５超、あるいは少なくとも０．８、あるいは少なくとも０．９、あるいは少なくとも１、あるいは少なくとも１．１、あるいは少なくとも１．２の比率を有する、発明１乃至３２のいずれか一項に記載の発明。
（発明３４）
前記不活性化層又はｐＨ保護皮膜の前記ＦＴＩＲ吸光度スペクトルが、最大で１．７、あるいは最大で１．６、あるいは最大で１．５、あるいは最大で１．４、あるいは最大で１．３の比率を有する、発明３３に記載の発明。
（発明３５）
前記不活性化層又はｐＨ保護皮膜が非油性の外観を有する、発明１乃至３４のいずれか一項に記載の発明。
（発明３６）
注射用水で希釈し、濃縮硝酸でｐＨ８に調整し、０．２ｗｔ．％ポリソルベート８０界面活性剤を含有する５０ｍＭリン酸カリウム緩衝液による、前記容器からのケイ素溶解速度が、１７０ｐｐｂ／日未満、あるいは１６０ｐｐｂ／日未満、あるいは１４０ｐｐｂ／日未満、あるいは１２０ｐｐｂ／日未満、あるいは１００ｐｐｂ／日未満、あるいは９０ｐｐｂ／日未満、あるいは８０ｐｐｂ／日未満である、発明１乃至３５のいずれか一項に記載の発明。
（発明３７）
前記容器から、４０℃の０．１Ｎ水酸化カリウム水溶液に溶解する場合の、前記不活性化層又はｐＨ保護皮膜及びバリア皮膜又は層の総ケイ素含有量が、６６ｐｐｍ未満、あるいは６０ｐｐｍ未満、あるいは５０ｐｐｍよりも、あるいは４０ｐｐｍ未満、あるいは３０ｐｐｍ未満、あるいは２０ｐｐｍ未満である、発明１又は３乃至３６のいずれか一項に記載の発明。
（発明３８）
前記計算保管寿命（総Ｓｉ／Ｓｉ溶解速度）が、１年超、あるいは１８か月超、あるいは２年超、あるいは２年半超、あるいは３年超である、発明１、２又は４乃至３７のいずれか一項に記載の発明。
（発明３９）
前記計算保管寿命（総Ｓｉ／Ｓｉ溶解速度）が、４年未満、あるいは５年未満である、発明１、２又は４乃至３８のいずれか一項に記載の発明。
（発明４０）
前記不活性化層又はｐＨ保護皮膜が、ＰＥＣＶＤ反応室内において、重合ガスの質量の２２，０００ｋＪ／ｋｇ超、あるいは３０，０００ｋＪ／ｋｇ超、あるいは４０，０００ｋＪ／ｋｇ超、あるいは５０，０００ｋＪ／ｋｇ超、あるいは６０，０００ｋＪ／ｋｇ超、あるいは７０，０００ｋＪ／ｋｇ超、あるいは８０，０００ｋＪ／ｋｇ超あたりの電力レベルでＰＥＣＶＤによって塗布される、発明１乃至３９のいずれか一項に記載の発明。
（発明４１）
前記不活性化層又はｐＨ保護皮膜が、前記ＰＥＣＶＤ反応室内において、重合ガスの質量の１００，０００ｋＪ／ｋｇ未満、あるいは９０，０００ｋＪ／ｋｇ未満あたりの電力レベルでＰＥＣＶＤによって塗布される、発明１乃至４０のいずれか一項に記載の発明。
（発明４２）
前記不活性化層又はｐＨ保護皮膜が、０．１乃至５００Ｗ、あるいは０．１乃至４００Ｗ、あるいは１乃至２５０Ｗ、あるいは１乃至２００Ｗ、あるいは１０乃至１５０Ｗ、あるいは２０乃至１５０Ｗ、あるいは４０乃至１５０Ｗ、あるいは６０乃至１５０Ｗの電力レベルでＰＥＣＶＤによって塗布される、発明１乃至４１のいずれか一項に記載の発明。
（発明４３）
電極電力とプラズマ量の比率が、１Ｗ／ｍｌ乃至１００Ｗ／ｍｌ、あるいは５Ｗ／ｍｌ乃至７５Ｗ／ｍｌ、あるいは６Ｗ／ｍｌ乃至６０Ｗ／ｍｌ、あるいは１０Ｗ／ｍｌ乃至５０Ｗ／ｍｌ、あるいは２０Ｗ／ｍｌ乃至４０Ｗ／ｍｌである、発明１乃至４２のいずれか一項に記載の発明。
（発明４４）
前記不活性化層又はｐＨ保護皮膜が、約２乃至約９、あるいは約６乃至約８、あるいは約４乃至約６、あるいは約４．６乃至約５．８の（ＡＦＭによって測定された）ＲＭＳ表面粗さ値を有する、発明１乃至４３のいずれか一項に記載の発明。
（発明４５）
前記不活性化層又はｐＨ保護皮膜が、ＡＦＭによって測定された、約７０乃至約１６０、あるいは約８４乃至約１４２、あるいは約９０乃至約１３０の、前記不活性化層又はｐＨ保護皮膜のＲmax表面粗さ値を有する、発明１乃至４４のいずれか一項に記載の発明。
（発明４６）
内部壁が不活性化層又はｐＨ保護皮膜で被覆されたシリンジバレルを含み、前記バレル内における摺動のために配置されたプランジャチップ、ピストン、ストッパ又はシールと、前記プランジャチップ、ピストン、ストッパ又はシールの少なくとも一部の上にある滑性皮膜又は層と、を更に含む、発明１乃至４５のいずれか一項に記載の発明。
（発明４７）
前記滑性皮膜又は層が、前記非被覆基板よりも低い、プランジャチップ、ピストン、ストッパ又はシールの摺動力又はブレイクアウト力を提供するように構成されている、発明４６に記載の発明。
（発明４８）
前記滑性皮膜又は層が、Ｘ線光電子分光器（ＸＰＳ）によって測定された、原子比率、ＳｉwＯxＣy（又はその均等のＳｉＯxＣy）又はＳｉwＮxＣy（又はその均等のＳｉＮxＣy）（式中ｗが１、この式のｘが約０．５乃至２．４、及びｙが約０．６乃至約３である）の１つを有する、発明４６又は４７に記載の発明。
（発明４９）
前記滑性皮膜又は層前記滑性層が、透過電子顕微鏡法（ＴＥＭ）による、１０乃至５００ｎｍの厚さを有する、発明４６乃至４８のいずれか一項に記載の発明。
（発明５０）
前記滑性皮膜又は層前記滑性層が、プラズマ化学気相成長（ＰＥＣＶＤ）によって堆積される、発明４６乃至４９のいずれか一項に記載の発明。
（発明５１）
前記滑性皮膜又は層が、直鎖シロキサン、単環シロキサン、任意選択的に、オクタメチルシクロテトラシロキサン（ＯＭＣＴＳ）、多環シロキサン、ポリシルセスキオキサン、直鎖シラザン、単環シラザン、多環シラザン、ポリシルセスキアザン、シラトラン、シルクアシラトラン、シルプロアトラン、アザシラトラン、アザシルクアシアトラン、アザシルプロアトラン、又はこれら前駆体のいずれか２つ以上の複合体から選択される前駆体から皮膜を形成するのに効果的な条件下で堆積される、発明４６乃至５０のいずれか一項に記載の発明。
（発明５２）
前記不動態化皮膜又はｐＨ防護層が、減衰全反射（ＡＴＲ）によって測定され、
【数４】
2014533177.tif 000003
のように測定された、０．４未満、あるいは０．１乃至０．３９、あるいは０．１５乃至０．３７、あるいは０．１７乃至０．３５のＯパラメータを示す、発明１乃至５１のいずれか一項に記載の発明。
（発明５３）
前記不動態化皮膜又はｐＨ防護層が、減衰全反射（ＡＴＲ）によって測定され、
【数５】
2014533177.tif 000004
のように測定された、０．７未満、あるいは０．４乃至０．６、あるいは少なくとも０．３のＮパラメータを示す、発明１乃至５２のいずれか一項に記載の発明。
（発明５４）
前記不動態化皮膜又はｐＨ防護層が少なくとも０．３のＮパラメータを示す、発明５３に記載の発明。
（発明５５）
・基板と、
・前記基板上のバリア皮膜又は層と、
・前記バリア皮膜又は層上の不活性化層又はｐＨ保護皮膜であって、前記不活性化層又はｐＨ保護皮膜が、
○約１０００乃至１０４０ｃｍ-1におけるＦＴＩＲスペクトルのＳｉ−Ｏ−Ｓｉ対称伸縮ピークの最大振幅と、
○約１０６０乃至約１１００ｃｍ-1におけるＦＴＩＲスペクトルのＳｉ−Ｏ−Ｓｉ非対称伸縮ピークの最大振幅との間において、
０．７５を超えるＦＴＩＲ吸光度比を示す、前記バリア皮膜又は層上の不活性化層又はｐＨ保護皮膜と、
を含む、複合材料。
（発明５６）
約１０００乃至１０４０ｃｍ-1におけるＦＴＩＲスペクトルの前記Ｓｉ−Ｏ−Ｓｉ対称伸縮ピークの前記最大振幅が０．５乃至１．５であり、約１０６０乃至約１１００ｃｍ-1における前記ＦＴＩＲスペクトルの前記Ｓｉ−Ｏ−Ｓｉ非対称伸縮ピークの前記最大振幅が０．９乃至２である、発明５５に記載の発明。
（発明５７）
約１０００乃至１０４０ｃｍ-1におけるＦＴＩＲスペクトルの前記Ｓｉ−Ｏ−Ｓｉ対称伸縮ピークの前記最大振幅が０．７乃至１．３、約１０６０乃至約１１００ｃｍ-1における前記ＦＴＩＲスペクトルの前記Ｓｉ−Ｏ−Ｓｉ非対称伸縮ピークの前記最大振幅が０．９乃至２である、発明５５又は５６に記載の発明。
（発明５８）
約１０００乃至１０４０ｃｍ−１におけるＦＴＩＲスペクトルの前記Ｓｉ−Ｏ−Ｓｉ対称伸縮ピークの前記最大振幅が０．８乃至１．２、約１０６０乃至約１１００ｃｍ-1における前記ＦＴＩＲスペクトルの前記Ｓｉ−Ｏ−Ｓｉ非対称伸縮ピークの前記最大振幅が０．９乃至１．５である、発明５５乃至５７のいずれか一項に記載の発明。
（発明５９）
約１０００乃至１０４０ｃｍ-1におけるＦＴＩＲスペクトルの前記Ｓｉ−Ｏ−Ｓｉ対称伸縮ピークの前記最大振幅が０．９乃至１．２、約１０６０乃至約１１００ｃｍ-1における前記ＦＴＩＲスペクトルの前記Ｓｉ−Ｏ−Ｓｉ非対称伸縮ピークの前記最大振幅が０．９乃至１．４である、発明５５乃至５８のいずれか一項に記載の発明。
（発明６０）
約１０００乃至１０４０ｃｍ-1におけるＦＴＩＲスペクトルの前記Ｓｉ−Ｏ−Ｓｉ対称伸縮ピークの前記最大振幅が０．９２乃至１．０７、約１０６０乃至約１１００ｃｍ-1における前記ＦＴＩＲスペクトルの前記Ｓｉ−Ｏ−Ｓｉ非対称伸縮ピークの前記最大振幅が１．１６乃至１．３３である、発明５５乃至５９のいずれか一項に記載の発明。
（発明６１）
原子間力顕微鏡法によって測定された前記不活性化層又はｐＨ保護皮膜の前記ＲＭＳ表面粗さ値が、約２乃至約９、任意選択的に、約６乃至約８、任意選択的に、約６．４乃至約７．８である、発明１乃至６０のいずれか一項に記載の発明。
（発明６２）
原子間力顕微鏡法によって測定された前記不活性化層又はｐＨ保護皮膜のＲa表面粗さ値が、約４乃至約６、任意選択的に、約４．６乃至約５．８である、発明１乃至６１のいずれか一項に記載の発明。
（発明６３）
原子間力顕微鏡法によって測定された前記不活性化層又はｐＨ保護皮膜の前記Ｒmax表面粗さ値が、約７０乃至約１６０、任意選択的に、約８４乃至約１４２、任意選択的に、約９０乃至約１３０である、発明１乃至６２のいずれか一項に記載の発明。
（発明６４）
前記流体組成物が、
吸入麻酔薬
アリフルラン
クロロホルム
シクロプロパン
デスフルラン（Ｓｕｐｒａｎｅ）
ジエチルエーテル
エンフルラン（Ｅｔｈｒａｎｅ）
塩化エチル
エチレン
ハロタン（Ｆｌｕｏｔｈａｎｅ）
イソフルラン（Ｆｏｒａｎｅ、Ｉｓｏｆｌｏ）
イソプロペニルビニルエーテル
メトキシフルラン
メトキシフルラン
メトキシプロパン
亜酸化窒素
ロフルラン
セボフルラン（Ｓｅｖｏｒａｎｅ、Ｕｌｔａｎｅ、Ｓｅｖｏｆｌｏ）
テフルラン
トリクロロエチレン
ビニルエーテル
キセノン
注射剤
Ａｂｌａｖａｒ（ガドホスベセット三ナトリウム注射薬）
アバレリックスデポ
アボボツリナムトキシンＡ注射薬（Ｄｙｓｐｏｒｔ）
ＡＢＴ−２６３
ＡＢＴ−８６９
ＡＢＸ−ＥＦＧ
Ａｃｃｒｅｔｒｏｐｉｎ（ソマトロピン注射薬）
Ａｃｅｔａｄｏｔｅ（アセチルシステイン注射薬）
アセタゾラミド注射薬（アセタゾラミド注射薬）
アセチルシステイン注射薬（Ａｃｅｔａｄｏｔｅ）
アクテムラ（トシリズマブ注射薬）
Ａｃｔｈｒｅｌ（注射用コルチコレリンオーバイントリフルテート）
Ａｃｔｕｍｍｕｎｅ
アクチバーゼ
注射用アシクロビル（ゾビラックス注射薬）
Ａｄａｃｅｌ
アダリムマブ
アデノスキャン（アデノシン注射薬）
アデノシン注射薬（アデノスキャン）
Ａｄｒｅｎａｃｌｉｃｋ
ＡｄｒｅＶｉｅｗ（ヨーベングアンＩ１２３静脈内使用用注射薬）
Ａｆｌｕｒｉａ
Ａｋ−Ｆｌｕｏｒ（フルオレセイン注射薬）
アウドラザイム（ラロニダーゼ）
アルグルセラーゼ注射薬（セレデース）
アルケラン注射薬（メルファランＨｃｌ注射薬）
注射用アロプリノールナトリウム（Ａｌｏｐｒｉｍ）
Ａｌｏｐｒｉｍ（注射用アロプリノールナトリウム）
アルプロスタジル
Ａｌｓｕｍａ（スマトリプタン注射薬）
ＡＬＴＵ−２３８
アミノ酸注射薬
Ａｍｉｎｏｓｙｎ
アピドラ
アプレミラスト
注射用アルプロスタジルデュアルチャンバシステム（Ｃａｖｅｒｊｅｃｔ  Ｉｍｐｕｌｓｅ）
ＡＭＧ００９
ＡＭＧ０７６
ＡＭＧ１０２
ＡＭＧ１０８
ＡＭＧ１１４
ＡＭＧ１６２
ＡＭＧ２２０
ＡＭＧ２２１
ＡＭＧ２２２
ＡＭＧ２２３
ＡＭＧ３１７
ＡＭＧ３７９
ＡＭＧ３８６
ＡＭＧ４０３
ＡＭＧ４７７
ＡＭＧ４７９
ＡＭＧ５１７
ＡＭＧ５３１
ＡＭＧ５５７
ＡＭＧ６２３
ＡＭＧ６５５
ＡＭＧ７０６
ＡＭＧ７１４
ＡＭＧ７４５
ＡＭＧ７８５
ＡＭＧ８１１
ＡＭＧ８２７
ＡＭＧ８３７
ＡＭＧ８５３
ＡＭＧ９５１
アミオダロンＨＣｌ注射薬（アミオダロンＨＣｌ注射薬）
アモバルビタールナトリウム注射薬（アミタールナトリウム）
アミタールナトリウム（アモバルビタールナトリウム注射薬）
アナキンラ
Ａｎｔｉ−Ａｂｅｔａ
Ａｎｔｉ−Ｂｅｔａ７
Ａｎｔｉ−Ｂｅｔａ２０
Ａｎｔｉ−ＣＤ４
Ａｎｔｉ−ＣＤ２０
Ａｎｔｉ−ＣＤ４０
Ａｎｔｉ−ＩＦＮａｌｐｈａ
Ａｎｔｉ−ＩＬ１３
Ａｎｔｉ−ＯＸ４０Ｌ
Ａｎｔｉ−ｏｘＬＤＳ
Ａｎｔｉ−ＮＲＰ１
Ａｎｔｉ−ＮＲＰ１
アリクストラ
Ａｍｐｈａｄａｓｅ（ヒアルロニダーゼ注射薬）
Ａｍｍｏｎｕｌ（フェニル酢酸ナトリウム及び安息香酸ナトリウム注射薬）
Ａｎａｐｒｏｘ
アンゼメット注射薬（メシル酸ドラセトロン注射薬）
アピドラ（インスリングルリシン［ｒＤＮＡ由来］注射薬）
Ａｐｏｍａｂ
Ａｒａｎｅｓｐ（ダルベポエチンアルファ）
アルガトロバン（アルガトロバン注射薬）
塩酸アルギニン注射薬（Ｒ−Ｇｅｎｅ１０）
アリストコート
アリストスパン
三酸化ヒ素注射薬（トリセノックス）
アルチケーンＨＣＩ及びエピネフリン注射薬（Ｓｅｐｔｏｃａｉｎｅ）
アーゼラ（オファツムマブ注射薬）
Ａｓｃｌｅｒａ（ポリドカノール注射薬）
アタルレン
アタルレン−ＤＭＤ
アテノロール注射薬（テノーミンＩ．Ｖ．注射薬）
ベシル酸アトラクリウム注射薬（ベシル酸アトラクリウム注射薬）
アバスチン
アザクタム注射薬（アズトレオナム注射薬）
アジスロマイシン（ジスロマック注射薬）
アズトレオナム注射薬（アザクタム注射薬）
バクロフェン注射薬（リオレサール髄注）
静菌水（注射用静菌水）
バクロフェン注射薬（リオレサール髄注）
Ｂａｌ  ｉｎ  Ｏｉｌ  Ａｍｐｕｌｅｓ（ジメルカープロール注射薬）
ＢａｙＨｅｐＢ
ＢａｙＴｅｔ
ベナドリル
塩酸ベンダムスチン注射薬（トレアンダ）
メシル酸ベンズトロピン注射薬（コゲンチン）
ベタメタゾン懸濁注射液（Ｃｅｌｅｓｔｏｎｅ  Ｓｏｌｕｓｐａｎ）
ベキサール
バイシリンＣ−Ｒ９００／３００（ペニシリンＧベンザチン及びペニシリンＧプロカイン注射薬）
ブレノキサン（ブレオマイシン硫酸塩注射薬）
ブレオマイシン硫酸塩注射薬（ブレノキサン）
ボニバ注射薬（イバンドロネートナトリウム注射薬）
ボトックスコスメティック（注射用ボツリヌストキシンＡ）
ＢＲ３−ＦＣ
Ｂｒａｖｅｌｌｅ（ウロホリトロピン注射薬）
ブレチリウム（ブレチリウムトシラート注射薬）
ブレビタールナトリウム（メトヘキシタールナトリウム注射用）
Ｂｒｅｔｈｉｎｅ
Ｂｒｉｏｂａｃｅｐｔ
ＢＴＴ−１０２３
ブピバカインＨＣＩ
バイエッタ
Ｃａ−ジエチレントリアミン五酢酸（ペンテト酸カルシウム三ナトリウム注射薬）
カバジタキセル注射薬（ジェブタナ）
カフェインアルカロイド（カフェイン及び安息香酸ナトリウム注射薬）
カルシジェックス注射薬（カルシトリオール）
カルシトリオール（カルシジェックス注射薬）
塩化カルシウム（塩化カルシウム注射薬１０％）
カルシウムジナトリウムベルセネート（エデト酸カルシウム二ナトリウム注射薬）
キャンパス（アルテムツズマブ）
Ｃａｍｐｔｏｓａｒ注射薬（イリノテカン塩酸）
カナキヌマブ注射薬（イラリス）
カパスタット硫酸塩（注射用カプレオマイシン）
注射用カプレオマイシン（カパスタット硫酸塩）
カーディオライト（注射用テクネチウムＴｃ９９セスタミビ用調製キット）
カーティセル
Ｃａｔｈｆｌｏ
注射用セファゾリン及びブドウ糖（セファゾリン注射薬）
セフェピム塩酸塩
セフォタキシム
セフトリアキソン
セレザイム
Ｃａｒｎｉｔｏｒ注射薬
Ｃａｖｅｒｊｅｃｔ
Ｃｅｌｅｓｔｏｎｅ  Ｓｏｌｕｓｐａｎ
Ｃｅｌｓｉｏｒ
Ｃｅｒｅｂｙｘ（ホスフェニトインナトリウム注射薬）
セレデース（アルグルセラーゼ注射薬）
Ｃｅｒｅｔｅｃ（テクネチウムＴｃ９９ｍエキサメタジム注射薬）
セルトリズマブ
ＣＦ−１０１
クロラムフェニコールコハク酸ナトリウム（クロラムフェニコールコハク酸ナトリウム注射薬）
クロラムフェニコールコハク酸ナトリウム注射薬（クロラムフェニコールコハク酸ナトリウム）
コレスタゲル（コレセベラムＨＣＬ）
絨毛性ゴナドトロピンアルファ注射薬（Ｏｖｉｄｒｅｌ）
シムジア
シスプラチン（シスプラチン注射薬）
クロラール（クロファラビン注射薬）
クエン酸クロミフィン
クロニジン注射薬（Ｄｕｒａｃｌｏｎ）
コゲンチン（メシル酸ベンズトロピン注射薬）
コリスチメタート注射薬（Ｃｏｌｙ−Ｍｙｃｉｎ  Ｍ）
Ｃｏｌｙ−Ｍｙｃｉｎ  Ｍ（コリスチメタート注射薬）
Ｃｏｍｐａｔｈ
コニバプタンＨｃｌ注射薬（バプリゾール）
注射用結合型エストロゲン（プレマリン注射薬）
コパキソン
注射用コルチコレリンオーバイントリフルテート（Ａｃｔｈｒｅｌ）
コルベルト（フマル酸イブチリド注射薬）
キュビシン（ダプトマイシン注射薬）
ＣＦ−１０１
Ｃｙａｎｏｋｉｔ（注射用ヒドロキソコバラミン）
シタラビンリポソーム注射薬（デポサイト）
シアノコバラミン
サイトベン（ガンシクロビル）
Ｄ．Ｈ．Ｅ．４５
ダセツズマブ
ダコゲン（デシタビン注射薬）
ダルテパリン
ダントリウムＩＶ（注射用ダントロレンナトリウム）
注射用ダントロレンナトリウム（ダントリウムＩＶ）
ダプトマイシン注射薬（キュビシン）
ダルベポエチンアルファ
ＤＤＡＶＰ注射薬（デスモプレシン酢酸塩注射薬）
Ｄｅｃａｖａｘ
デシタビン注射薬（ダコゲン）
無水アルコール（無水アルコール注射薬）
デノスマブ注射薬（プロリア）
デラテストリル
デルエストロゲン
デルテパリンナトリウム
Ｄｅｐａｃｏｎ（バルプロ酸ナトリウム注射薬）
デポメロドール（酢酸メチルプレドニゾロン懸濁注射液）
デポサイト（シタラビンリポソーム注射薬）
デポデュール（モルヒネ硫酸塩ＸＲリポソーム注射薬）
デスモプレシン酢酸塩注射薬（ＤＤＡＶＰ注射薬）
デポエストラジオール
デポプロベラ１０４ｍｇ／ｍｌ
デポプロベラ１５０ｍｇ／ｍｌ
デポテストステロン
注射用デキスラゾキサン、静注のみ（Ｔｏｔｅｃｔ）
ブドウ糖／電解質
ブドウ糖及び塩化ナトリウム注射薬（０．９％塩化ナトリウム中ブドウ糖５％）
ブドウ糖
ジアゼパム注射薬（ジアゼパム注射薬）
ジゴキシン注射薬（ラノキシン注射薬）
ジラウジッド−ＨＰ（ヒドロモルホン塩酸注射薬）
ジメルカープロール注射薬（Ｂａｌ  ｉｎ  Ｏｉｌ  Ａｍｐｕｌｅｓ）
ジフェンヒドラミン注射薬（ベナドリル注射薬）
ジピリダモール注射薬（ジピリダモール注射薬）
ＤＭＯＡＤ
ドセタクセル注射用（タキソテール）
メシル酸ドラセトロン注射薬（アンゼメット注射薬）
ドリバックス（ドリペネム注射用）
ドリペネム注射用（ドリバックス）
ドキセルカルシフェロール注射薬（Ｈｅｃｔｏｒｏｌ注射薬）
ドキシル（ドキソルビシンＨｃｌリポソーム注射薬）
ドキソルビシンＨｃｌリポソーム注射薬（ドキシル）
Ｄｕｒａｃｌｏｎ（クロニジン注射薬）
Ｄｕｒａｍｏｒｐｈ（モルヒネ注射薬）
Ｄｙｓｐｏｒｔ（アボボツリナムトキシンＡ注射薬）
エカランチド注射薬（Ｋａｌｂｉｔｏｒ）
ＥＣ−ナプロシン（ナプロキセン）
エデト酸カルシウム二ナトリウム注射薬（カルシウムジナトリウムベルセネート）
Ｅｄｅｘ（注射用アルプロスタジル）
Ｅｎｇｅｒｉｘ
エドロホニウム注射薬（Ｅｎｌｏｎ）
エリグルスタットターテート
エロキサチン（オキサリプラチン注射薬）
イメンド注射薬（フォサプレピタントジメグルミン注射薬）
エナラプリラート注射薬（エナラプリラート注射薬）
Ｅｎｌｏｎ（エドロホニウム注射薬）
エノキサパリンナトリウム注射薬（ラブノックス）
エオビスト（ガドキセト酸二ナトリウム注射薬）
エンブレル（エタネルセプト）
エノキサパリン
Ｅｐｉｃｅｌ
エピネフェリン
エピペン
エピペンＪｒ．
エピラツズマブ
アービタックス
エルタペネム注射薬（Ｉｎｖａｎｚ）
エリスロポエテン
必須アミノ酸注射薬（Ｎｅｐｈｒａｍｉｎｅ）
エストラジオールシピオネート
吉草酸エストラジオール
エタネルセプト
エキセナチド注射薬（バイエッタ）
エブロトラ（Ｅｖｌｏｔｒａ）
ファブラザイム（アダルシダーゼベータ）
ファモチジン注射薬
ＦＤＧ（フルデオキシグルコースＦ１８注射薬）
フェラヘム（フェルモキシトール注射薬）
フェリデックスＩ．Ｖ．（フェルモキシデス注射可能溶液）
Ｆｅｒｔｉｎｅｘ
フェルモキシデス注射可能溶液（フェリデックスＩ．Ｖ．）
フェルモキシトール注射薬（フェラヘム）
フラジール注射薬（メトロニダゾール注射薬）
Ｆｌｕａｒｉｘ
フルダラ（リン酸フルダラビン）
フルデオキシグルコースＦ１８注射薬（ＦＤＧ）
フルオレセイン注射薬（Ａｋ−Ｆｌｕｏｒ）
フォリスチムＡＱカートリッジ（フォリトロピンベータ注射薬）
フォリトロピンアルファ注射薬（ゴナールエフＲＦＦ）
フォリトロピンベータ注射薬（フォリスチムＡＱカートリッジ）
フォロチン（プララトレキサート溶液静注用）
フォンダパリヌクス
フォルテオ（テリパラチド（ｒＤＮＡ由来）注射薬）
Ｆｏｓｔａｍａｔｉｎｉｂ
フォサプレピタントジメグルミン注射薬（イメンド注射薬）
ホスフェニトインナトリウム注射薬（ホスカビル）
ホスカビル（ホスフェニトインナトリウム注射薬）
ホスフェニトインナトリウム注射薬（Ｃｅｒｅｂｙｘ）
ホスプロポフォール二ナトリウム注射薬（Ｌｕｓｅｄｒａ）
フラグミン
フゼオンン（エンフビルチド）
ＧＡ１０１
ガドベン酸メグルミン注射薬（Ｍｕｌｔｉｈａｎｃｅ）
ガドホスベセット三ナトリウム注射薬（Ａｂｌａｖａｒ）
ガドテリドール注射薬溶液（プロハンス）
カドベルセタミド注射薬（ＯｐｔｉＭＡＲＫ）
ガドキセト酸二ナトリウム注射薬（エオビスト）
ガニレリクス（ガニレリクス酢酸塩注射薬）
ガーダシル
ＧＣ１００８
ＧＤＦＤ
注射用ゲムツズマブオゾガマイシン（マイロターグ）
ジェノトロピン
ゲンタマイシン注射薬
ＧＥＮＺ−１１２６３８
ゴリムマブ注射薬（シンポニー注射薬）
ゴナールエフＲＦＦ（フォリトロピンアルファ注射薬）
グラニセトロン塩酸塩（カイトリル注射薬）
ゲンタマイシン硫酸塩
グラチラマー酢酸塩
Ｇｌｕｃａｇｅｎ
グルカゴン
ＨＡＥ１
Ｈａｌｄｏｌ（ハロペリドール注射薬）
Ｈａｖｒｉｘ
Ｈｅｃｔｏｒｏｌ注射薬（ドキセルカルシフェロール注射薬）
ヘッジホッグ経路阻害薬
へパリン
ハーセプチン
ｈＧ−ＣＳＦ
ヒューマログ
ヒト成長ホルモン
ヒューマトロープ
ＨｕＭａｘ
ヒュメゴン
ヒュミラ
ヒューマリン
イバンドロネートナトリウム注射薬（ボニバ注射薬）
イブプロフェンリシン注射薬（ＮｅｏＰｒｏｆｅｎ）
フマル酸イブチリド注射薬（コルベルト）
イダマイシンＰＦＳ（イダルビシン塩酸注射薬）
イダルビシン塩酸注射薬（イダマイシンＰＦＳ）
イラリス（カナキヌマブ注射薬）
注射用イミペネム及びシラスタチン（プリマキシンＩ．Ｖ．）
イミトレックス
インコボツリナムトキシンＡ注射用（Ｘｅｏｍｉｎ）
Ｉｎｃｒｅｌｅｘ（メカセルミン［ｒＤＮＡ由来］注射薬）
インダシンＩＶ（インドメタシン注射薬）
インドメタシン注射薬（インダシンＩＶ）
Ｉｎｆａｎｒｉｘ
イノヘップ
インスリン
インスリンアスパルト［ｒＤＮＡ由来］注射薬（ＮｏｖｏＬｏｇ）
インスリングラルギン［ｒＤＮＡ由来］注射薬（ランタス）
インスリングルリシン［ｒＤＮＡ由来］注射薬（アピドラ）
インターフェロンアルファ−２ｂ、遺伝子組換え注射用（イントロンＡ）
イントロンＡ（インターフェロンアルファ−２ｂ、遺伝子組換え注射用）
Ｉｎｖａｎｚ（エルタペネム注射薬）
Ｉｎｖｅｇａ  Ｓｕｓｔｅｎｎａ（パリペリドンパルミチン酸エステル持効性懸濁注射液）
インビラーゼ（サキナビルメシル酸塩）
ヨーベングアンＩ１２３静脈内使用用注射薬（ＡｄｒｅＶｉｅｗ）
イオプロミド注射薬（Ｕｌｔｒａｖｉｓｔ）
イオベルソール注射薬（オプチレイ注射薬）
Ｉｐｌｅｘ（メカセルミンリンファバート［ｒＤＮＡ由来］注射薬）
Ｉｐｒｉｖａｓｋ
イリノテカン塩酸（Ｃａｍｐｔｏｓａｒ注射薬）
含糖酸化鉄注射薬（ヴェノファー）
Ｉｓｔｏｄａｘ（ロミデプシン注射用）
イトラコナゾール注射薬（スポラノックス注射薬）
ジェブタナ（カバジタキセル注射薬）
Ｊｏｎｅｘａ
Ｋａｌｂｉｔｏｒ（エカランチド注射薬）
ＫＣＬ  ｉｎ  Ｄ５ＮＳ（５％ブドウ糖及び塩化ナトリウム中塩化カリウム注射薬）
ＫＣＬ  ｉｎ  Ｄ５Ｗ
ＫＣＬ  ｉｎ  ＮＳ
ケナログ１０注射薬（トリアムシノロンアセトニド懸濁注射液）
ケピバンス（パリフェルミン）
ケプラ注射薬（レベチラセタム）
ケラチノサイト
ＫＦＧ
キナーゼ阻害薬
Ｋｉｎｅｒｅｔ（アナキンラ）
Ｋｉｎｌｙｔｉｃ（ウロキナーゼ注射薬）
Ｋｉｎｒｉｘ
クロノピン（クロナゼパム）
カイトリル注射薬（グラニセトロン塩酸塩）
ラコサミド錠及び注射薬（ビンパット）
乳酸リンゲル液
ラノキシン注射薬（ジゴキシン注射薬）
ランソプラゾール注射用（プレバシドＩ．Ｖ．）
ランタス
ロイコボリンカルシウム（ロイコボリンカルシウム注射薬）
レンテ（Ｌ）
レプチン
レベミル
リューカインサルグラモスチム
ロイプロリド酢酸塩
レボチロキシン
レベチラセタム（ケプラ注射薬）
ラブノックス
レボカルニチン注射薬（Ｃａｒｎｉｔｏｒ注射薬）
レキスキャン（レガデノソン注射薬）
リオレサール髄注（バクロフェン注射薬）
リラグルチド［ｒＤＮＡ］注射薬（ビクトーザ）
ラブノックス（エノキサパリンナトリウム注射薬）
ルセンティス（ラニビズマブ注射薬）
Ｌｕｍｉｚｙｍｅ
ルプロン（ロイプロリド酢酸塩注射薬）
Ｌｕｓｅｄｒａ（ホスプロポフォール二ナトリウム注射薬）
Ｍａｃｉ
マグネシウム硫酸塩（マグネシウム硫酸塩注射薬）
マンニトール注射薬（マンニトールＩＶ）
マーカイン（ブピバカイン塩酸及びエピネフリン注射薬）
マキシピーム（セフェピム塩酸塩注射用）
テクネチウム注射薬のＭＤＰ多用量キット（テクネチウムＴｃ９９ｍメドロナート注射薬）
メカセルミン［ｒＤＮＡ由来］注射薬（Ｉｎｃｒｅｌｅｘ）
メカセルミンリンファバート［ｒＤＮＡ由来］注射薬（Ｉｐｌｅｘ）
メルファランＨｃｌ注射薬（アルケラン注射薬）
メトトレキサート
メナクトラ
Ｍｅｎｏｐｕｒ（メノトロピンス注射薬）
メノトロピンス注射用（Ｒｅｐｒｏｎｅｘ）
メトヘキシタールナトリウム注射用（ブレビタールナトリウム）
メチルドーパート塩酸塩注射薬、溶液（メチルドーパートＨｃｌ）
メチレンブルー（メチレンブルー注射薬）
酢酸メチルプレドニゾロン懸濁注射液（デポメロドール）
ＭｅｔＭａｂ
メトクロプラミド注射薬（Ｒｅｇｌａｎ注射薬）
Ｍｅｔｒｏｄｉｎ（ウロホリトロピン注射用）
メトロニダゾール注射薬（フラジール注射薬）
Ｍｉａｃａｌｃｉｎ
ミダゾラム（ミダゾラム注射薬）
ミンパラ（シナカレト）
ミノシン注射薬（ミノサイクリン注射薬）
ミノサイクリン注射薬（ミノシン注射薬）
ミポメルセン
ミトキサントロン注射用濃縮液（ノバントロン）
モルヒネ注射薬（Ｄｕｒａｍｏｒｐｈ）
モルヒネ硫酸塩ＸＲリポソーム注射薬（デポデュール）
モルイン酸ナトリウム（モルイン酸ナトリウム注射薬）
モテサニブ
モゾビル（プレリキサフォル注射薬）
Ｍｕｌｔｉｈａｎｃｅ（ガドベン酸メグルミン注射薬）
多電解質及びブドウ糖注射薬
多電解質注射薬
マイロターグ（注射用ゲムツズマブオゾガマイシン）
マイオザイム（アルグルコシダーゼアルファ）
ナフシリン注射薬（ナフシリンナトリウム）
ナフシリンナトリウム（ナフシリン注射薬）
ナルトレキソンＸＲ注射薬（ビビトロル）
ナプロシン（ナプロキセン）
ＮｅｏＰｒｏｆｅｎ（イブプロフェンリシン注射薬）
ナンドロルデカン酸エステル
ネオスチグミンメチル硫酸塩（ネオスチグミンメチル硫酸塩注射薬）
ＮＥＯ−ＧＡＡ
ＮｅｏＴｅｃｔ（テクネチウムＴｃ９９ｍデプレオチド注射薬）
Ｎｅｐｈｒａｍｉｎｅ（必須アミノ酸注射薬）
Ｎｅｕｌａｓｔａ（ペグフィルグラスチム）
Ｎｅｕｐｏｇｅｎ（フィルグラスチム）
ノボリン
Ｎｏｖｏｌｏｇ
ＮｅｏＲｅｃｏｒｍｏｎ
Ｎｅｕｔｒｅｘｉｎ（グルコン酸トリメトレキサート注射薬）
ＮＰＨ（Ｎ）
Ｎｅｘｔｅｒｏｎｅ（アミオダロンＨＣｌ注射薬）
ノルディトロピン（ソマトロピン注射薬）
生理食塩水（塩化ナトリウム注射薬）
ノバントロン（ミトキサントロン注射用濃縮液）
ノボリン７０／３０イノレット（７０％ＮＰＨ、ヒトインスリンイソフェン懸濁液及び３０％レギュラー、ヒトインスリン注射薬）
ＮｏｖｏＬｏｇ（インスリンアスパルト［ｒＤＮＡ由来］注射薬）
Ｎｐｌａｔｅ（ロミプロスチム）
ニュートロピン（ソマトロピン（ｒＤＮＡ由来）注射用）
ニュートロピンＡＱ
ニュートロピンデポ（ソマトロピン（ｒＤＮＡ由来）注射用）
オクトレオチド酢酸塩注射薬（サンドスタチンＬＡＲ）
オクレリズマブ
オファツムマブ注射薬（アーゼラ）
徐放性オランザピン懸濁注射液（Ｚｙｐｒｅｘａ  Ｒｅｌｐｒｅｖｖ）
Ｏｍｎｉｔａｒｇ
Ｏｍｎｉｔｒｏｐｅ（ソマトロピン［ｒＤＮＡ由来］注射薬）
オンダンセトロン塩酸注射薬（ゾフラン注射薬）
ＯｐｔｉＭＡＲＫ（カドベルセタミド注射薬）
オプチレイ注射薬（イオベルソール注射薬）
オレンシア
Ｏｓｍｉｔｒｏｌ注射薬ｉｎＡｖｉｖａ（マンニトール注射薬ｉｎＡｖｉｖａプラスチック容器）
Ｏｓｍｉｔｒｏｌ注射薬ｉｎＶｉａｆｌｅｘ（マンニトール注射薬ｉｎＶｉａｆｌｅｘプラスチック容器）
オステオプロテグリン
Ｏｖｉｄｒｅｌ（絨毛性ゴナドトロピンアルファ注射薬）
オキサシリン（オキサシリン注射用）
オキサリプラチン注射薬（エロキサチン）
オキシトシン注射薬（ピトシン）
パリペリドンパルミチン酸エステル持効性懸濁注射液（Ｉｎｖｅｇａ  Ｓｕｓｔｅｎｎａ）
パミドロン酸二ナトリウム注射薬（パミドロン酸二ナトリウム注射薬）
パニツムマブ静注用（ベクティビックス）
パパベリン塩酸塩注射薬（パパベリン注射薬）
パパベリン注射薬（パパベリン塩酸塩注射薬）
副甲状腺ホルモン
パリカルシトール注射薬フリップトップ型バイアル（Ｚｅｍｐｌａｒ注射薬）
ＰＡＲＰ阻害薬
Ｐｅｄｉａｒｉｘ
ペグイントロン
ペグインターフェロン
ペグフィルグラスチム
ペニシリンＧベンザチン及びペニシリンＧプロカイン
ペンテト酸カルシウム三ナトリウム注射薬（Ｃａ−ジエチレントリアミン五酢酸）
ペンテト酸亜鉛三ナトリウム注射薬（Ｚｎ−ジエチレントリアミン五酢酸）
ペプシド注射薬（ファモチジン注射薬）
Ｐｅｒｇｏｎａｌ
ペルツズマブ
フェントラミンメシル酸塩（フェントラミンメシル酸塩注射用）
サリチル酸フィゾスチグミン（サリチル酸フィゾスチグミン（注射薬））
サリチル酸フィゾスチグミン（注射薬）（サリチル酸フィゾスチグミン）
ピペラシリン及びタゾバクタム注射薬（ゾシン）
ピトシン（オキシトシン注射薬）
Ｐｌａｓｍａ−Ｌｙｔｅ１４８（多電解質注射薬）
Ｐｌａｓｍａ−Ｌｙｔｅ５６及びブドウ糖（多電解質及びブドウ糖注射薬、Ｖｉａｆｌｅｘプラスチック容器）
ＰｌａｓｍａＬｙｔｅ
プレリキサフォル注射薬（モゾビル）
ポリドカノール注射薬（Ａｓｃｌｅｒａ）
塩化カリウム
プララトレキサート溶液静注用（フォロチン）
酢酸プラムリンタイド注射薬（Ｓｙｍｌｉｎ）
プレマリン注射薬（注射用結合型エストロゲン）
注射用テクネチウムＴｃ９９セスタミビ用調製キット（カーディオライト）
プレバシドＩ．Ｖ．（ランソプラゾール注射用）
プリマキシンＩ．Ｖ．（注射用イミペネム及びシラスタチン）
Ｐｒｏｃｈｙｍａｌ
プロクリット
黄体ホルモン
プロハンス（ガドテリドール注射薬溶液）
プロリア（デノスマブ注射薬）
プロメタジンＨＣｌ注射薬（プロメタジン塩酸注射薬）
プロプラノロール塩酸塩注射薬（プロプラノロール塩酸塩注射薬）
グルコン酸キニジン注射薬（キニジン注射薬）
キニジン注射薬（グルコン酸キニジン注射薬）
Ｒ−Ｇｅｎｅ１０（塩酸アルギニン注射薬）
ラニビズマブ注射薬（ルセンティス）
ラニチジン塩酸塩注射薬（ザンタック注射薬）
ラプティバ
リクラスト（ゾレドロン酸注射薬）
Ｒｅｃｏｍｂｉｖａｒｉｘ  ＨＢ
レガデノソン注射薬（レキスキャン）
Ｒｅｇｌａｎ注射薬（メトクロプラミド注射薬）
レミケード
レナジェル
Ｒｅｎｖｅｌａ（炭酸セベラマー）
Ｒｅｐｒｏｎｅｘ（メノトロピンス注射用）
レトロビルＩＶ（ジドブジン注射薬）
ｒｈＡｐｏ２Ｌ／ＴＲＡＩＬ
リンゲル及び５％ブドウ糖注射薬（ブドウ糖加リンガー液）
リンゲル液（リンガー液）
リツキサン
リツキシマブ
ロセフィン（セフトリアキソン）
ロクロニウム臭化物注射薬（Ｚｅｍｕｒｏｎ）
Ｒｏｆｅｒｏｎ−Ａ（インターフェロンアルファ−２ａ）
Ｒｏｍａｚｉｃｏｎ（フルマゼニル）
ロミデプシン注射用（Ｉｓｔｏｄａｘ）
サイゼン（ソマトロピン注射薬）
サンドスタチンＬＡＲ（オクトレオチド酢酸塩注射薬）
スクレロスチンＡｂ
Ｓｅｎｓｉｐａｒ（シナカルセト）
Ｓｅｎｓｏｒｃａｉｎｅ（ブピバカインＨＣＩ注射薬）
Ｓｅｐｔｏｃａｉｎｅ（アルチケーンＨＣＩ及びエピネフリン注射薬）
Ｓｅｒｏｓｔｉｍ  ＬＱ（ソマトロピン（ｒＤＮＡ由来）注射薬）
シンポニー注射薬（ゴリムマブ注射薬）
ナトリウム酢酸塩（ナトリウム酢酸塩注射薬）
炭酸水素ナトリウム（炭酸水素ナトリウム５％注射薬）
乳酸ナトリウム（乳酸ナトリウム注射薬、ＡＶＩＶＡ）
フェニル酢酸ナトリウム及び安息香酸ナトリウム注射薬（Ａｍｍｏｎｕｌ）
ソマトロピン（ｒＤＮＡ由来）注射用（ニュートロピン）
スポラノックス注射薬（イトラコナゾール注射薬）
ステラーラ注射薬（ウステキヌマブ）
Ｓｔｅｍｇｅｎ
Ｓｕｆｅｎｔａ（クエン酸スフェンタニル注射薬）
クエン酸スフェンタニル注射薬（Ｓｕｆｅｎｔａ）
Ｓｕｍａｖｅｌ
スマトリプタン注射薬（Ａｌｓｕｍａ）
Ｓｙｍｌｉｎ
Ｓｙｍｌｉｎ  Ｐｅｎ
全身用ヘッジホッグ拮抗薬
Ｓｙｎｖｉｓｃ−Ｏｎｅ（ヒランＧ−Ｆ２０単回関節内注射薬）
タルセバ
タキソテール（ドセタクセル注射用）
テクネチウムＴｃ９９ｍ
テラバンシン注射用（ヴィバティブ）
テムシロリムス注射薬（トーリセル）
テノーミンＩ．Ｖ．注射薬（アテノロール注射薬）
テリパラチド（ｒＤＮＡ由来）注射薬（フォルテオ）
テストステロンシピオネート
テストステロンエナント酸エステル
テストステロンプロピオン酸エステル
Ｔｅｖ−Ｔｒｏｐｉｎ（ソマトロピン、ｒＤＮＡ由来、注射用）
ｔｇＡＡＣ９４
塩化タリウム
テオフィリン
チオテパ（チオテパ注射薬）
サイモグロブリン（抗胸腺細胞免疫グロブリン（ウサギ）
タイロゲン（チロトロピンアルファ注射用）
チカルシリンナトリウム及びクラブラン酸カリウムギャラクシー（チメンチン注射薬）
Ｔｉｇａｎ注射薬（塩酸トリメトベンズアミド注射可能物質）
チメンチン注射薬（チカルシリンナトリウム及びクラブラン酸カリウムギャラクシー）
ＴＮＫａｓｅ
トブラマイシン注射薬（トブラマイシン注射薬）
トシリズマブ注射薬（アクテムラ）
トーリセル（テムシロリムス注射薬）
Ｔｏｔｅｃｔ（注射用デキスラゾキサン、静注のみ）
トラスツズマブ−ＤＭ１
Ｔｒａｖａｓｏｌ（アミノ酸（注射薬））
トレアンダ（塩酸ベンダムスチン注射薬）
トレルスター（トリプトレリンパモエート懸濁注射液用）
トリアムシノロンアセトニド
酢酸トリアムシノロン
トリアムシノロンヘキサアセトニド懸濁注射液（アリストスパン注射薬２０ｍｇ）
Ｔｒｉｅｓｅｎｃｅ（トリアムシノロンアセトニド懸濁注射液）
塩酸トリメトベンズアミド注射可能物質（Ｔｉｇａｎ注射薬）
グルコン酸トリメトレキサート注射薬（Ｎｅｕｔｒｅｘｉｎ）
トリプトレリンパモエート懸濁注射液用（トレルスター）
Ｔｗｉｎｊｅｃｔ
Ｔｒｉｖａｒｉｓ（トリアムシノロンアセトニド懸濁注射液）
トリセノックス（三酸化ヒ素注射薬）
Ｔｗｉｎｒｉｘ
腸チフスＶｉ
Ｕｌｔｒａｖｉｓｔ（イオプロミド注射薬）
ウロホリトロピン注射用（Ｍｅｔｒｏｄｉｎ）
ウロキナーゼ注射薬（Ｋｉｎｌｙｔｉｃ）
ウステキヌマブ（ステラーラ注射薬）
ウルトラレンテ（Ｕ）
バリウム（ジアゼパム）
バルプロ酸ナトリウム注射薬（Ｄｅｐａｃｏｎ）
Ｖａｌｔｒｏｐｉｎ（ソマトロピン注射薬）
バルプロ酸ナトリウム（バルプロ酸ナトリウム注射薬）
バルプロ酸ナトリウム注射薬（バルプロ酸ナトリウム）
バプリゾール（コニバプタンＨｃｌ注射薬）
ＶＡＱＴＡ
バソビスト（ガドホスベセット三ナトリウム静注用）
ベクティビックス（パニツムマブ静注用）
ヴェノファー（含糖酸化鉄注射薬）
ベルテポルフィン注射薬（ビスダイン）
ヴィバティブ（テラバンシン注射用）
ビクトーザ（リラグルチド［ｒＤＮＡ］注射薬）
ビンパット（ラコサミド錠及び注射薬）
ビンブラスチン硫酸塩（ビンブラスチン硫酸塩注射薬）
Ｖｉｎｃａｓａｒ  ＰＦＳ（ビンクリスチン硫酸塩注射薬）
ビクトーザ
ビンクリスチン硫酸塩（ビンクリスチン硫酸塩注射薬）
ビスダイン（ベルテポルフィン注射薬）
ビタミンＢ−１２
ビビトロル（ナルトレキソンＸＲ注射薬）
ボルベン（塩化ナトリウム中ヒドロキシエチルデンプン注射薬）
ゼローダ
ゼニカル（オルリスタット）
Ｘｅｏｍｉｎ（インコボツリナムトキシンＡ注射用）
ゾレア
ザンタック注射薬（ラニチジン塩酸塩注射薬）
Ｚｅｍｐｌａｒ注射薬（パリカルシトール注射薬フリップトップ型バイアル）
Ｚｅｍｕｒｏｎ（ロクロニウム臭化物注射薬）
ゼナパックス（ダクリズマブ）
ゼバリン
ジドブジン注射薬（レトロビルＩＶ）
ジスロマック注射薬（アジスロマイシン）
Ｚｎ−ジエチレントリアミン五酢酸（ペンテト酸亜鉛三ナトリウム注射薬）
ゾフラン注射薬（オンダンセトロン塩酸注射薬）
Ｚｉｎｇｏ
ゾレドロン酸注射用（ゾメタ）
ゾレドロン酸注射薬（リクラスト）
ゾメタ（ゾレドロン酸注射用）
ゾシン（ピペラシリン及びタゾバクタム注射薬）
Ｚｙｐｒｅｘａ  Ｒｅｌｐｒｅｖｖ（徐放性オランザピン懸濁注射液）
液剤（非注射型）
エビリファイ
ＡｃｃｕＮｅｂ（アルブテロール硫酸塩吸入液）
Ａｃｔｉｄｏｓｅ  Ａｑｕａ（薬用炭懸濁液）
薬用炭懸濁液（Ａｃｔｉｄｏｓｅ  Ａｑｕａ）
アドベア
Ａｇｅｎｅｒａｓｅ経口液（アンプレナビル経口液）
Ａｋｔｅｎ（リドカイン塩酸塩眼用ゲル）
Ａｌａｍａｓｔ（ペミロラストカリウム点眼液）
アルブミン（ヒト）５％溶液（ブミネート５％）
アルブテロール硫酸塩吸入液
Ａｌｉｎｉａ
Ａｌｏｃｒｉｌ
アルファガン
Ａｌｒｅｘ
オルベスコ
アンプレナビル経口液
Ａｎａｌｐｒａｍ−ＨＣ
アルフォルモテロール酒石酸塩吸入液（Ｂｒｏｖａｎａ）
アリストスパン注射薬２０ｍｇ（トリアムシノロンヘキサアセトニド懸濁注射液）
アサコール
アズマネックス
Ａｓｔｅｐｒｏ
Ａｓｔｅｐｒｏ（アゼラスチン塩酸塩鼻用スプレー）
アトロベント鼻用スプレー（臭化イプラトロピウム鼻用スプレー）
アトロベント鼻用スプレー．０６
オーグメンチンＥＳ−６００
Ａｚａｓｉｔｅ（アジスロマイシン点眼液）
アゼライン酸（Ｆｉｎａｃｅａゲル）
アゼラスチン塩酸塩鼻用スプレー（Ａｓｔｅｐｒｏ）
Ａｚｅｌｅｘ（アゼライン酸クリーム）
エイゾプト（ブリンゾラミド懸濁性点眼液）
静菌性生理食塩水（Ｂａｃｔｅｒｉｏｓｔａｔｉｃ  Ｓａｌｉｎｅ）
平衡塩類（ｂａｌａｎｃｅｄ  ｓａｌｔ）
ベポタスチン
バクトロバン鼻腔用
バクトロバン
Ｂｅｃｌｏｖｅｎｔ
Ｂｅｎｚａｃ  Ｗ
Ｂｅｔｉｍｏｌ
ベトプティックエス
Ｂｅｐｒｅｖｅ
ビマトプロスト点眼液
Ｂｌｅｐｈ  １０（スルファセタミドナトリウム点眼液１０％）
ブリンゾラミド懸濁性点眼液（エイゾプト）
ブロムフェナク点眼液（Ｘｉｂｒｏｍ）
Ｂｒｏｍｈｉｓｔ
Ｂｒｏｖａｎａ（アルフォルモテロール酒石酸塩吸入液）
ブデソニド吸入用懸濁液（パルミコート吸入液）
Ｃａｍｂｉａ（ジクロフェナクカリウム経口液用）
Ｃａｐｅｘ
Ｃａｒａｃ
Ｃａｒｂｏｘｉｎｅ−ＰＳＥ
Ｃａｒｎｉｔｏｒ
Ｃａｙｓｔｏｎ（アズトレオナム吸入液用）
セルセプト
Ｃｅｎｔａｎｙ
Ｃｅｒｕｍｅｎｅｘ
Ｃｉｌｏｘａｎ点眼液（シプロフロキサシンＨＣＬ点眼液）
Ｃｉｐｒｏｄｅｘ
シプロフロキサシンＨＣＬ点眼液（Ｃｉｌｏｘａｎ点眼液）
クレマスチンフマル酸塩シロップ（クレマスチンフマル酸塩シロップ）
ＣｏＬｙｔｅ（ＰＥＧ電解質溶液）
Ｃｏｍｂｉｖｅｎ
コムタン
Ｃｏｎｄｙｌｏｘ
Ｃｏｒｄｒａｎ
Ｃｏｒｔｉｓｐｏｒｉｎ懸濁性点眼液
Ｃｏｒｔｉｓｐｏｒｉｎ耳用懸濁液
クロモリンナトリウム吸入液（Ｉｎｔａｌ噴霧器溶液）
クロモリンナトリウム点眼液（Ｏｐｔｉｃｒｏｍ）
電解質加結晶アミノ酸溶液（Ａｍｉｎｏｓｙｎ電解質）
Ｃｕｔｉｖａｔｅ
Ｃｕｖｐｏｓａ（グリコピロレート経口液）
シアノコバラミン（ＣａｌｏＭｉｓｔ鼻用スプレー）
サイクロスポリン経口液（Ｇｅｎｇｒａｆ経口液）
サイクロジル
Ｃｙｓｖｉｅｗ（ヘキサミノレブリナート塩酸塩膀胱内溶液）
ＤｅｒｍＯｔｉｃオイル（フルオシノロンアセトニドオイル点耳薬）
デスモプレシン酢酸塩鼻用スプレー
ＤＤＡＶＰ
Ｄｅｒｍａ−Ｓｍｏｏｔｈｅ／ＦＳ
デキサメサゾンＩｎｔｅｎｓｏｌ
ダイアニール低カルシウム
ダイアニールＰＤ
ジクロフェナクカリウム経口液用（Ｃａｍｂｉａ）
ジダノシン小児用散経口液用（ヴァイデックス）
ディフェリン
ディランチン１２５（フェニトイン経口懸濁液）
Ｄｉｔｒｏｐａｎ
ドルゾラミド塩酸塩点眼液（トルソプト）
ドルゾラミド塩酸塩−チモロールマレイン酸塩点眼液（コソプト）
ドボネックススカルプ（カルシポトリエン溶液）
ドキシサイクリンカルシウム経口懸濁液（ビブラマイシン経口用）
Ｅｆｕｄｅｘ
エラプレース（イデュルスルファーゼ溶液）
Ｅｌｅｓｔａｔ（エピナスチンＨＣｌ点眼液）
Ｅｌｏｃｏｎ
エピナスチンＨＣｌ点眼液（Ｅｌｅｓｔａｔ）
エピビルＨＢＶ
Ｅｐｏｇｅｎ（エポエチンアルファ）
エリスロマイシン局所用液１．５％（Ｓｔａｔｉｃｉｎ）
Ｅｔｈｉｏｄｏｌ（エチオダイズド油）
エトスクシミド経口液（ザロンチン経口液）
オイラックス
Ｅｘｔｒａｎｅａｌ（イコデキストリン腹膜透析溶液）
Ｆｅｌｂａｔｏｌ
フェリデックスＩ．Ｖ．（フェルモキシデス注射可能溶液）
Ｆｌｏｖｅｎｔ
Ｆｌｏｘｉｎ耳用薬（オフロキサシン耳科用液）
Ｆｌｏ−Ｐｒｅｄ（プレドニゾロン酢酸エステル経口懸濁液）
Ｆｌｕｏｒｏｐｌｅｘ
フルニソリド点鼻液（フルニソリド鼻用スプレー．０２５％）
フルオロメトロン懸濁性点眼液（ＦＭＬ）
フルルビプロフェンナトリウム点眼液（Ｏｃｕｆｅｎ）
ＦＭＬ
Ｆｏｒａｄｉｌ
フマル酸ホルモテロール吸入液（Ｐｅｒｆｏｒｏｍｉｓｔ）
フォサマックス
フラダンチン（ニトロフラントイン経口懸濁液）
フロキソン
ガンマガード液体（静注用免疫グロブリン（ヒト）１０％）
ガントリシン（アセチルスルフイソキサゾール小児用懸濁液）
ガチフロキサシン点眼液（Ｚｙｍａｒ）
Ｇｅｎｇｒａｆ経口液（サイクロスポリン経口液）
グリコピロレート経口液（Ｃｕｖｐｏｓａ）
ハルシノニド局所用液（Ｈａｌｏｇ溶液）
Ｈａｌｏｇ溶液（ハルシノニド局所用液）
ＨＥＰ−ＬＯＣＫ  Ｕ／Ｐ（防腐剤無添加ヘパリンロック用フラッシュ液）
ヘパリンロック用フラッシュ液（Ｈｅｐｆｌｕｓｈ  １０）
ヘキサミノレブリナート塩酸塩膀胱内溶液（Ｃｙｓｖｉｅｗ）
酒石酸水素ヒドロコドン及びアセトアミノフェン経口液（Ｌｏｒｔａｂ  Ｅｌｉｘｉｒ）
ヒドロキノン３％局所用液（Ｍｅｌｑｕｉｎ−３局所用液）
ＩＡＰ拮抗薬
Ｉｓｏｐｔｏ
臭化イプラトロピウム鼻用スプレー（アトロベント鼻用スプレー）
イトラコナゾール経口液（スポラノックス経口液）
ケトロラクトロメタミン点眼液（Ａｃｕｌａｒ  ＬＳ）
カレトラ
ラノキシン
レクシヴァ
ロイプロリド酢酸塩デポー懸濁液用（ルプロンデポ１１．２５ｍｇ）
レボベタキソロール塩酸塩懸濁性点眼液（ベタキソン）
レボカルニチン錠、経口液、無糖（Ｃａｒｎｉｔｏｒ）
レボフロキサシン点眼液０．５％（Ｑｕｉｘｉｎ）
リドカインＨＣｌ無菌液（キシロカインＭＰＦ無菌液）
Ｌｏｋ  Ｐａｋ（ヘパリンロック用フラッシュ液）
ロラゼパムＩｎｔｅｎｓｏｌ
Ｌｏｒｔａｂ  Ｅｌｉｘｉｒ（酒石酸水素ヒドロコドン及びアセトアミノフェン経口液）
Ｌｏｔｅｍａｘ（エタボン酸ロテプレドノール懸濁性点眼液）
エタボン酸ロテプレドノール懸濁性点眼液（Ａｌｒｅｘ）
低カルシウム腹膜透析溶液（ダイアニール低カルシウム）
ルミガン（ビマトプロスト点眼液０．０３％緑内障用）
ルプロンデポ１１．２５ｍｇ（ロイプロリド酢酸塩デポー懸濁液用）
メゲストロール酢酸塩経口懸濁液（メゲストロール酢酸塩経口懸濁液）
ＭＥＫ阻害薬
Ｍｅｐｒｏｎ
Ｍｅｓｎｅｘ
メスチノン
メサラミン注腸剤（Ｒｏｗａｓａ）
Ｍｅｌｑｕｉｎ−３局所用液（ヒドロキノン３％局所用液）
ＭｅｔＭａｂ
メチルドーパートＨｃｌ（メチルドーパート塩酸塩注射薬、溶液）
Ｍｅｔｈｙｌｉｎ経口液（メチルフェニデートＨＣｌ経口液５ｍｇ／５ｍＬ及び１０ｍｇ／５ｍＬ）
酢酸メチルプレドニゾロン懸濁注射液（デポメロドール）
メチルフェニデートＨＣｌ経口液５ｍｇ／５ｍＬ及び１０ｍｇ／５ｍＬ（Ｍｅｔｈｙｌｉｎ経口液）
コハク酸メチルプレドニゾロンナトリウム（ソルメドロール）
メチプラノロール点眼液（Ｏｐｔｉｐｒａｎｏｌｏｌ）
Ｍｉｇｒａｎａｌ
Ｍｉｏｃｈｏｌ−Ｅ（アセチルコリン塩化物眼内溶液）
Ｍｉｃｒｏ−Ｋ液体懸濁液用（塩化カリウム徐放製剤液体懸濁液用）
ミノシン（ミノサイクリン塩酸経口懸濁液）
ナサコート
ネオマイシン硫酸塩及びポリミキシンＢ硫酸塩及びヒドロコルチゾン
ネパフェナク懸濁性点眼液（ネバナック）
ネバナック（ネパフェナク懸濁性点眼液）
ニトロフラントイン経口懸濁液（フラダンチン）
Ｎｏｘａｆｉｌ（ポサコナゾール経口懸濁液）
ニスタチン（経口）（ニスタチン経口懸濁液）
ニスタチン経口懸濁液（ニスタチン（経口））
Ｏｃｕｆｅｎ（フルルビプロフェンナトリウム点眼液）
オフロキサシン点眼液（オフロキサシン点眼液）
オフロキサシン耳科用液（Ｆｌｏｘｉｎ耳用薬）
オロパタジン塩酸点眼液（Ｐａｔａｄａｙ）
Ｏｐｔｉｃｒｏｍ（クロモリンナトリウム点眼液）
Ｏｐｔｉｐｒａｎｏｌｏｌ（メチプラノロール点眼液）
パタノール
Ｐｅｄｉａｐｒｅｄ
ＰｅｒｉｏＧａｒｄ
フェニトイン経口懸濁液（ディランチン１２５）
Ｐｈｉｓｏｈｅｘ
ポサコナゾール経口懸濁液（Ｎｏｘａｆｉｌ）
塩化カリウム徐放製剤液体懸濁液用（Ｍｉｃｒｏ−Ｋ液体懸濁液用）
Ｐａｔａｄａｙ（オロパタジン塩酸点眼液）
Ｐａｔａｎａｓｅ鼻用スプレー（オロパタジン塩酸鼻用スプレー）
ＰＥＧ電解質溶液（ＣｏＬｙｔｅ）
ペミロラストカリウム点眼液（Ａｌａｍａｓｔ）
Ｐｅｎｌａｃ（シクロピロクス局所用液）
ＰＥＮＮＳＡＩＤ（ジクロフェナクナトリウム局所用液）
Ｐｅｒｆｏｒｏｍｉｓｔ（フマル酸ホルモテロール吸入液）
腹膜透析溶液
フェニレフリン塩酸塩点眼液（ネオシネフリン）
フォスフォリンアイオダイド（エコチオパートヨウ化物点眼液用）
ポドフィロックス（ポドフィロックス局所用液）
Ｐｒｅｄ  Ｆｏｒｔｅ（プレドニゾロン酢酸エステル懸濁性点眼液）
プララトレキサート溶液静注用（フォロチン）
Ｐｒｅｄ  Ｍｉｌｄ
Ｐｒｅｄｎｉｓｏｎｅ  Ｉｎｔｅｎｓｏｌ
プレドニゾロン酢酸エステル懸濁性点眼液（Ｐｒｅｄ  Ｆｏｒｔｅ）
プレバシド
ＰｒｉｓｍａＳｏｌ溶液（滅菌血液濾過血液濾過透析溶液）
プロエアー
Ｐｒｏｇｌｙｃｅｍ
プロハンス（ガドテリドール注射薬溶液）
塩酸プロパラカイン点眼液（Ａｌｃａｉｎｅ）
Ｐｒｏｐｉｎｅ
パルミコート
プルモザイム
Ｑｕｉｘｉｎ（レボフロキサシン点眼液０．５％）
ＱＶＡＲ
ラパミューン
レベトール
Ｒｅｌａｃｏｎ−ＨＣ
ロタリックス（経口生ロタウイルスワクチン懸濁液）
経口生ロタウイルスワクチン懸濁液（ロタリックス）
Ｒｏｗａｓａ（メサラミン注腸剤）
サブリル（ビガバトリン経口液）
サクロシダーゼ経口液（Ｓｕｃｒａｉｄ）
サンディミュン
Ｓｅｐｒａ
Ｓｅｒｅｖｅｎｔ  Ｄｉｓｋｕｓ
ソルコーテフ（ヒドロコルチゾンコハク酸エステルナトリウム）
ソルメドロール（コハク酸メチルプレドニゾロンナトリウム）
スピリーバ
スポラノックス経口液（イトラコナゾール経口液）
Ｓｔａｔｉｃｉｎ（エリスロマイシン局所用液１．５％）
スタレボ
Ｓｔａｒｌｉｘ
滅菌血液濾過血液濾過透析溶液（ＰｒｉｓｍａＳｏｌ溶液）
Ｓｔｉｍａｔｅ
スクラルファート（カラファート懸濁液）
スルファセタミドナトリウム点眼液１０％（Ｂｌｅｐｈ  １０）
Ｓｙｎａｒｅｌ点鼻液（子宮内膜症用酢酸ナファレリン点鼻液）
Ｔａｃｌｏｎｅｘ  Ｓｃａｌｐ（カルシポトリエン及びジプロピオン酸ベタメタゾン局所懸濁液）
タミフル
トービイ
ＴｏｂｒａＤｅｘ
Ｔｏｂｒａｄｅｘ  ＳＴ（トブラマイシン／デキサメサゾン懸濁性点眼液０．３％／０．０５％）
トブラマイシン／デキサメサゾン懸濁性点眼液０．３％／０．０５％（Ｔｏｂｒａｄｅｘ  ＳＴ）
チモロール
Ｔｉｍｏｐｔｉｃ
トラバタンズ
トレプロスチニル吸入液（Ｔｙｖａｓｏ）
トルソプト（ドルゾラミド塩酸塩点眼液）
Ｔｙｖａｓｏ（トレプロスチニル吸入液）
ベントリン
ブイフェンド
ビブラマイシン経口用（ドキシサイクリンカルシウム経口懸濁液）
ヴァイデックス（ジダノシン小児用散経口液用）
ビガバトリン経口液（サブリル）
Ｖｉｏｋａｓｅ
ビラセプト
ビラミューン
ビタミンＫ１（ビタミンＫ１の流体コロイド溶液）
ボルタレン眼科用薬（ジクロフェナクナトリウム点眼液）
ザロンチン経口液（エトスクシミド経口液）
ザイアジェン
ザイボックス
Ｚｙｍａｒ（ガチフロキサシン点眼液）
Ｚｙｍａｘｉｄ（ガチフロキサシン点眼液）
薬物分類
５α還元酵素阻害薬
５−アミノサリチル酸塩
５ＨＴ３受容体拮抗薬
アダマンタン抗ウイルス薬
副腎皮質ステロイド
副腎皮質ホルモン阻害薬
アドレナリン作動性気管支拡張薬
高血圧性緊急疾患用薬剤
肺高血圧症用薬剤
アルドステロン受容体拮抗薬
アルキル化薬
αアドレナリン受容体拮抗薬
αグルコシダーゼ阻害薬
代替薬
殺アメーバ薬
アミノグリコシド
アミノペニシリン類
アミノサリチル酸塩
アミリン類似体
鎮痛薬配合剤
鎮痛薬
アンドロゲン及びアナボリックステロイド
アンジオテンシン変換酵素阻害薬
アンジオテンシンＩＩ阻害薬
肛門直腸製剤
食欲抑制薬
制酸薬
駆虫薬
抗血管原性眼用薬
抗ＣＴＬＡ−４モノクローナル抗体
感染症薬
抗アドレナリン作動薬、中枢作用型
抗アドレナリン作動薬、末梢作用型
抗アンドロゲン薬
抗狭心症薬
抗不整脈薬
抗喘息薬配合剤
抗生物質／抗腫瘍薬
抗コリン性制吐剤
抗コリン性抗パーキンソン薬
抗コリン性気管支拡張薬
抗コリン性変時性薬
抗コリン作動薬／鎮痙薬
凝固阻止剤
抗痙攣薬
抗うつ薬
抗糖尿病薬
抗糖尿病薬配合剤
止瀉薬
抗利尿ホルモン
解毒薬
制吐薬／抗暈眩薬
抗真菌薬
抗ゴナドトロピン薬
痛風治療薬
抗ヒスタミン薬
高脂血症用薬
高脂血症用配合剤
降圧配合剤
尿酸降下薬
抗マラリア薬
抗マラリア薬配合剤
抗マラリア薬キノリン類
代謝拮抗薬
抗片頭痛薬
抗腫瘍性解毒剤
抗腫瘍性インターフェロン
抗腫瘍性モノクローナル抗体
抗腫瘍薬
抗パーキンソン薬
抗血小板薬
抗緑膿菌ペニシリン系薬
抗乾癬薬
抗精神病薬
抗リウマチ薬
防腐薬及び殺菌薬
抗甲状腺薬
抗毒素及び抗蛇毒素
抗結核薬
抗結核薬配合剤
鎮咳薬
抗ウイルス薬
抗ウイルス配合剤
抗ウイルスインターフェロン
抗不安薬、鎮静薬及び催眠薬
アロマターゼ阻害薬
非定型抗精神病薬
アゾ−ル抗真菌薬
細菌性ワクチン
バルビツール酸系抗痙攣薬
バルビツール薬
ＢＣＲ−ＡＢＬチロシンナーゼ阻害薬
ベンゾジアゼピン系抗痙攣薬
ベンゾジアゼピン
βアドレナリン遮断薬
βラクタマーゼ阻害薬
胆汁酸金属イオン封鎖剤
生物学的製剤
ビスホスホネート製剤
骨吸収阻害薬
気管支拡張薬配合剤
気管支拡張薬
カルシトニン
カルシウムチャネル遮断薬
カルバメート系抗痙攣薬
カルバペネム
炭酸脱水酵素阻害抗痙攣薬
炭酸脱水酵素阻害薬
心緊張薬
心選択性β遮断薬
心血管作動薬
カテコールアミン
ＣＤ２０モノクローナル抗体
ＣＤ３３モノクローナル抗体
ＣＤ５２モノクローナル抗体
中枢神経系薬
セファロスポリン
耳垢水
キレート剤
ケモカイン受容体拮抗薬
クロライドチャネルアクチベーター
コレステロール吸収阻害薬
コリン作動薬
コリン作動性筋興奮薬
コリンエステラーゼ阻害薬
中枢興奮薬
凝固調整剤
コロニー刺激因子
避妊薬
副腎皮質刺激ホルモン
クマリン類及びインダンジオン類
ｃｏｘ−２阻害薬
充血除去薬
外皮用薬
診断的放射性医薬品
ジベンザゼピン系抗痙攣薬
消化酵素
ジペプチジルペプチダーゼ４阻害薬
利尿薬
ドパミン作用性抗パーキンソン薬
アルコール依存性に使用される薬物
エキノカンジン
ＥＧＦＲ阻害薬
エストロゲン受容体拮抗薬
エストロゲン
去痰薬
第Ｘａ因子阻害剤
脂肪酸誘導体抗痙攣薬
フィブリン酸誘導体
第１世代セファロスポリン
第４世代セファロスポリン
機能性腸疾患薬
胆石可溶化薬
ＧＡＢＡ類似体
ＧＡＢＡ再取り込み阻害薬
ＧＡＢＡトランスアミナーゼ阻害薬
胃腸薬
全身麻酔薬
尿生殖路薬
胃腸刺激薬
グルココルチコイド
グルコース上昇剤
グリコペプチド系抗生物質
糖タンパク質血小板阻害薬
グリシルシクリン類
ゴナドトロピン放出ホルモン
ゴナドトロピン放出ホルモン拮抗薬
ゴナドトロピン
Ｉ群抗不整脈薬
ＩＩ群抗不整脈薬
ＩＩＩ群抗不整脈薬
ＩＶ群抗不整脈薬
Ｖ群抗不整脈薬
成長ホルモン受容体遮断薬
成長ホルモン
ヘリコバクターピロリ除菌薬
Ｈ２拮抗薬
造血幹細胞モビライザー
へパリン拮抗薬
へパリン
ＨＥＲ２阻害薬
植物製品
ヒストン脱アセチル化酵素阻害薬
ホルモン補充療法
ホルモン
ホルモン／抗腫瘍薬
ヒダントイン系抗痙攣薬
違法（ストリート）薬物
免疫グロブリン
免疫薬
免疫抑制薬
インポテンス薬
インビボ診断生物学的製剤
インクレチンミメティクス
吸入感染症薬
吸入コルチコステロイド
強心薬
インスリン
インスリン様増殖因子
インテグラーゼ鎖移転阻害薬
インターフェロン
静脈内栄養製品
ヨード造影剤
イオン化ヨード造影剤
鉄製品
ケトライド類
緩下薬
鎮癩薬
ロイコトリエン調整剤
リンコマイシン誘導体
脂質化グリコペプチド
局所注射麻酔薬
ループ利尿薬
肺表面活性剤
リンパ管染色剤
リソソーム酵素
マクロライド誘導体
マクロライド類
磁気共鳴イメージング造影剤
肥満細胞安定化剤
医療ガス
メグリチニド類
代謝薬
メチルキサンチン類
ミネラルコルチコイド
ミネラル及び電解質
その他薬剤
その他鎮痛薬
その他抗生物質
その他抗痙攣薬
その他抗うつ薬
その他抗糖尿病薬
その他制吐剤
その他抗真菌薬
その他高脂血症用薬
その他抗マラリア薬
その他抗腫瘍薬
その他抗パーキンソン薬
その他抗精神病薬
その他抗結核薬
その他抗ウイルス薬
その他抗不安薬、鎮静薬及び催眠薬
その他生物学的製剤
その他骨吸収阻害薬
その他心血管作動薬
その他中枢神経系薬
その他凝固調整剤
その他利尿薬
その他尿生殖路薬
その他ＧＩ薬
その他ホルモン
その他代謝薬
その他眼用薬
その他耳用薬
その他呼吸薬
その他性ホルモン
その他局所薬
その他未分類薬
その他腟用薬
有糸分裂阻害薬
モノアミン酸化酵素阻害薬
モノクローナル抗体
口及び咽喉製品
ｍＴＯＲ阻害薬
ｍＴＯＲキナーゼ阻害薬
粘液溶解薬
マルチキナーゼ阻害薬
筋弛緩薬
散瞳薬
麻薬性鎮痛薬配合剤
麻薬性鎮痛薬
鼻用感染症薬
鼻用抗ヒスタミン薬及び充血除去薬
鼻用潤滑剤及び灌注剤
鼻用製剤
鼻用ステロイド
天然ペニシリン系薬
ノイラミニダーゼ阻害薬
神経筋遮断薬
次世代セファロスポリン
ニコチン酸誘導体
硝酸薬
非ヌクレオシド系逆転写酵素阻害薬
非心選択性β遮断薬
非ヨード造影剤
非イオン性ヨード造影剤
非スルホニル尿素
非ステロイド性抗炎症薬
ノルエピネフィリン再取り込み阻害薬
ノルエピネフィリン−ドパミン再取り込み阻害薬
ヌクレオシド系逆転写酵素阻害薬（ＮＲＴＩｓ）
栄養補助食品
栄養製品
眼用麻酔薬
眼用感染症薬
眼用抗炎症薬
眼用抗ヒスタミン薬及び充血除去薬
眼用診断用薬
眼用緑内障薬
眼用潤滑剤及び灌注剤
眼用製剤
眼用ステロイド
感染症薬追加眼用ステロイド
眼外科薬
経口栄養補助食
耳用麻酔薬
耳用感染症薬
耳用製剤
耳用ステロイド
感染症薬追加耳用ステロイド
オキサゾリジンジオン系抗痙攣薬
上皮小体ホルモン及び類似体
ペニシリナーゼ耐性ペニシリン
ペニシリン系薬
末梢性オピオイド受容体拮抗薬
末梢性血管拡張薬
末梢作用型抗肥満薬
フェノチアジン制吐剤
フェノチアジン系抗精神病薬
フェニルピペラジン系抗うつ薬
血漿増量剤
血小板凝集阻害薬
血小板刺激剤
ポリエン類
カリウム保持性利尿薬
プロバイオティクス
黄体ホルモン受容体調節薬
プロゲスチン
プロラクチン阻害薬
プロスタグランジンＤ２拮抗薬
タンパク分解酵素阻害薬
プロトンポンプ阻害薬
ソラレン類
精神治療薬
精神治療用複合剤
プリンヌクレオシド
ピロリジン抗痙攣薬
キノロン剤
造影剤
放射線補助剤
放射線剤
放射線共役剤
放射性医薬品
ＲＡＮＫリガンド阻害薬
遺伝子組換えヒトエリスロポエチン
レニン阻害薬
呼吸薬
呼吸吸入薬製品
リファマイシン誘導体
サリチル酸塩
硬化剤
第２世代セファロスポリン
選択的エストロゲン受容体調節薬
選択的セロトニン再取り込み阻害薬
セロトニン−ノルエピネフィリン再取り込み阻害薬
セロトニン作動性神経腸調節薬
性ホルモン複合剤
性ホルモン
骨格筋弛緩薬複合剤
骨格筋弛緩薬
禁煙薬
ソマトスタチン及びソマトスタチン類似体
殺精子剤
スタチン
滅菌洗浄溶液
ストレプトミセス誘導体
スクシンイミド抗痙攣薬
スルホンアミド
スルホニル尿素
合成排卵誘発剤
四環系抗うつ薬
テトラサイクリン
治療用放射性医薬品
サイアザイド系利尿薬
チアゾリジンジオン類
チオキサンテン類
第３世代セファロスポリン
トロンビン阻害剤
血栓溶解薬
甲状腺剤
陣痛抑制薬
局所座瘡薬
局所薬
局所麻酔薬
局所感染症薬
局所抗生物質
局所抗真菌薬
局所抗ヒスタミン薬
局所抗乾癬薬
局所抗ウイルス薬
局所収斂薬
局所排膿促進薬
局所脱色剤
局所皮膚軟化薬
局所角質溶解薬
局所ステロイド
感染症薬追加局所ステロイド
トキソイド
トリアジン抗痙攣薬
三環系抗うつ薬
三官能性モノクローナル抗体
腫瘍壊死因子（ＴＮＦ）阻害薬
チロシンナーゼ阻害薬
超音波造影剤
上気道用複合剤
尿素抗痙攣薬
尿路感染症薬
尿路鎮痙薬
尿ｐＨ調整剤
子宮収縮薬
ワクチン
混合ワクチン
腟抗感染薬
膣坐剤
血管拡張薬
バソプレッシン拮抗薬
昇圧薬
ＶＥＧＦ／ＶＥＧＦＲ阻害薬
ウイルス性ワクチン
関節内補充薬
ビタミンミネラル複合体
ビタミン
診断試験
１７−ヒドロキシプロゲステロン
ＡＣＥ（アンジオテンシンＩ変換酵素）
アセトアミノフェン
酸性ホスファターゼ
ＡＣＴＨ
活性凝固時間
活性化プロテインＣ耐性
副腎皮質刺激ホルモン（ＡＣＴＨ）
アラニンアミノトランスフェラーゼ（ＡＬＴ）
アルブミン
アルドラーゼ
アルドステロン
アルカリフォスファターゼ
アルカリフォスファターゼ（ＡＬＰ）
α１−抗トリプシン
α−フェトプロテイン
α−フェトプロティエン
アンモニアレベル
アミラーゼ
ＡＮＡ（抗核アントボディ）
ＡＮＡ（抗核抗体）
アンジオテンシン変換酵素（ＡＣＥ）
アニオンギャップ
抗カルジオリピン抗体
抗カルジオリピンアンティブボディ（ＡＣＡ）
抗セントロメア抗体
抗利尿ホルモン
抗ＤＮＡ
抗デオキシリボヌクレアーゼＢ
抗グリアジン抗体
抗糸球体基底膜抗体
抗ＨＢｃ（Ｂ型肝炎コア抗体
抗ＨＢｓ（Ｂ型肝炎表面抗体
抗リン脂質抗体
抗ＲＮＡポリメラーゼ
抗スミス（Ｓｍ）抗体
抗平滑筋抗体
抗ストレプトリジンＯ価（ＡＳＯ）
抗トロンビンＩＩＩ
抗Ｘａ活性
抗Ｘａアッセイ
アポリポタンパク
ヒ素
アスパラギン酸アミノトランスフェラーゼ（ＡＳＴ）
Ｂ１２
塩基好性白血球
β２−ミクログロブリン
β−ヒドロキシブチレート
Ｂ−ＨＣＧ
ビリルビン
直接ビリルビン
間接ビリルビン
総ビリルビン
出血時間
血液ガス（動脈性）
血液尿素窒素（ＢＵＮ）
ＢＵＮ
ＢＵＮ
ＣＡ１２５
ＣＡ１５−３
ＣＡ１９−９
カルシトニン
カルシウム
カルシウム（イオン化）
一酸化炭素（ＣＯ）
癌胎児性抗原（ＣＥＡ）
ＣＢＣ
ＣＥＡ
ＣＥＡ（癌胎児性抗原）
セルロプラスミン
ＣＨ５０クロライド
コレステロール
コレステロール、ＨＤＬ
血栓溶解時間
血餅退縮時間
ＣＭＰ
ＣＯ２
寒冷凝集素
補体第３成分
銅
副腎皮質刺激ホルモン放出ホルモン（ＣＲＨ）刺激試験
コルチゾル
コートロシン刺激試験
Ｃペプチド
ＣＰＫ（総）
ＣＰＫ−ＭＢ
Ｃ反応性タンパク
クレアチニン
クレアチニンキナーゼ（ＣＫ）
クリオグロブリン
ＤＡＴ（直接抗グロブリン試験）
Ｄダイマー
デキタメタゾン抑制試験
ＤＨＥＡ−Ｓ
希釈ラッセルクサリ蛇毒
楕円赤血球
好酸球
赤血球沈降速度（ＥＳＲ）
エストラジオール
エストリオール
エタノール
エチレングリコール
ユーグロブリン溶解
第Ｖ因子ライデン
第ＶＩＩＩ因子阻害薬
第ＶＩＩＩ因子レベル
フェリチン
フィブリン体分解産物
フィブリノーゲン
葉酸塩
葉酸塩（血清
ナトリウム分画排泄率（ＦＥＮＡ）
ＦＳＨ（卵胞刺激因子）
ＦＴＡ−ＡＢＳ
γグルタミルトランスフェラーゼ（ＧＧＴ）
ガストリン
ＧＧＴＰ（γグルタミルトランスフェラーゼ）
グルコース
成長ホルモン
ハプトグロビン
ＨＢｅＡｇ（Ｂ型肝炎ｅ抗原）
ＨＢｓ−Ａｇ（Ｂ型肝炎表面抗原）
ヘリコバクターピロリ
ヘマトクリット
ヘマトクリット（ＨＣＴ））
ヘモグロビン
ヘモグロビンＡ１Ｃ
ヘモグロビン電気泳動
Ａ型肝炎抗体
Ｃ型肝炎抗体
ＩＡＴ（間接抗グロブリン試験）
免疫固定法（ＩＦＥ）
鉄
乳酸脱水素酵素（ＬＤＨ）
乳酸（乳酸塩）
乳酸脱水素酵素
ＬＨ（ルーティナイジングホルモン
リパーゼ
ループス抗凝固因子
リンパ球
マグネシウム
ＭＣＨ（平均赤血球ヘモグロビン量
ＭＣＨＣ（平均赤血球ヘモグロビン濃度）
ＭＣＶ（平均赤血球容積）
マロン酸メチル
単球
ＭＰＶ（平均血小板容積）
ミオグロビン
好中球
上皮小体ホルモン（ＰＴＨ）
リン
血小板（ｐｌｔ）
カリウム
プレアルブミン
プロラクチン
前立腺特異抗原（ＰＳＡ）
タンパク質Ｃ
タンパク質Ｓ
ＰＳＡ（前立腺特異抗原）
ＰＴ（プロトロンビン時間）
ＰＴＴ（部分トロンボプラスチン時間）
ＲＤＷ（赤血球分布幅）
レニン
レンニン
網状赤血球数
網状赤血球
リウマチ因子（ＲＦ）
血沈速度
血清グルタミン酸ピルビン酸トランスアミナーゼ（ＳＧＰＴ
血清タンパク電気泳動（ＳＰＥＰ）
ナトリウム
Ｔ３レジン摂取率（Ｔ３ＲＵ）
フリーＴ４
トロンビン時間
甲状腺刺激ホルモン（ＴＳＨ）
チロキシン（Ｔ４）
全鉄結合能（ＴＩＢＣ）
総タンパク
トランスフェリン
トランスフェリン飽和剤
トリグリセリド（ＴＧ）
トロポニン
尿酸
ビタミンＢ１２
白血球（ＷＢＣ）
ウィダール試験
からなる群から選択される要素を含む、発明１乃至６３のいずれか一項に記載の発明。
（発明６５）
前記流体組成物が吸入麻酔薬を含む、発明１乃至６４のいずれか一項に記載の発明。
（発明６６）
前記流体組成物が薬物を含む、発明１乃至６５のいずれか一項に記載の発明。
（発明６７）
前記流体組成物が診断検査材料を含む、発明１乃至６６のいずれか一項に記載の発明。
（発明６８）
前記不活性化層又はｐＨ保護皮膜が前記ガラス内部表面の層間剥離を低減するのに効果的である、発明２、５乃至８、１０乃至１８又は２１乃至６７のいずれか一項に記載の発明。
（発明６９）
前記不活性化層又はｐＨ保護皮膜が、ヘキサメチルシクロトリシロキサン（ＨＭＣＴＳ）を含む前駆体供給物のＰＥＣＶＤによって塗布される、発明１乃至６８のいずれか一項に記載の発明。
（発明７０）
前記不活性化層又はｐＨ保護皮膜が、デカメチルシクロペンタシロキサン（ＤＭＣＰＳ）を含む前駆体供給物のＰＥＣＶＤによって塗布される、発明１乃至６９のいずれか一項に記載の発明。
（発明７１）
前記不活性化層又はｐＨ保護皮膜が、２，２，４，４，６，６，８，８−オクタメチル−１，５−ジメタノ−３，７−ジオキサ−２，４，６，８−テトラシロキサンを含む前駆体供給物のＰＥＣＶＤによって塗布される、発明１乃至７０のいずれか一項に記載の発明。
（発明７２）
ＰＥＣＶＤが、規定範囲内の初期の高い電力レベルに続いて前記規定範囲内の次の低い電力レベルを印加することによって開始される、発明４２乃至７１のいずれか一項に記載の発明。
（発明７３）
前記初期の高い電力レベルが１乃至３秒間印加される、発明７２に記載の発明。
（発明７４）
前記次の低い電力レベルがＰＥＣＶＤの残りにおいて印加される、発明７２又は７３に記載の発明。